(57)【要約】ワイヤレス通信のための方法、システム、及びデバイスが説明される。基地局は、ユーザ機器（ＵＥ）に関連付けられたトリガリングイベントが発生したと決定し得る。ＵＥは、ＵＥに関連付けられたトリガリングイベントの発生に少なくとも部分的に基づいて、非周期的トラッキング基準信号（ＴＲＳ）の送信のために使用されるべきリソースを識別するトリガ信号を受信し得る。ＵＥは、トリガ信号及び識別されたリソースに少なくとも部分的に基づいて、非周期的ＴＲＳを受信し得る。ＵＥは、トリガリングイベントの発生に応答して、及び非周期的ＴＲＳに少なくとも部分的に基づいて、トラッキング機能、又は同期機能、又はアラインメント機能、又はそれらの組み合わせのうちの少なくとも１つを実行し得る。【選択図】図２
2021509794.tif 000002
【特許請求の範囲】
【請求項１】
ユーザ機器（ＵＥ）におけるワイヤレス通信のための方法であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信することと、
前記トリガ信号及び前記識別されたリソースに少なくとも部分的に基づいて、前記非周期的ＴＲＳを受信することと、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行することと
を備える、方法。
【請求項２】
前記非周期的ＴＲＳは、非周期的チャネル状態情報基準信号（ＣＳＩ−ＲＳ）とは別個であるトラッキングのためのＣＳＩ−ＲＳを備える、請求項１に記載の方法。
【請求項３】
前記トリガ信号は、ダウンリンク制御インジケータ（ＤＣＩ）中で受信される、請求項１に記載の方法。
【請求項４】
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、請求項３に記載の方法。
【請求項５】
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、請求項３に記載の方法。
【請求項６】
前記トリガリングイベントが発生するより前に同期信号ブロック（ＳＳＢ）送信を受信すること
を更に備える、請求項３に記載の方法。
【請求項７】
前記非周期的ＴＲＳの送信のために使用されるべき前記リソースを識別するアップリンク許可ＤＣＩを受信すること
を更に備える、請求項３に記載の方法。
【請求項８】
チャネル状態情報基準信号の送信のために使用されるべき追加のリソースを識別するために、前記アップリンク許可ＤＣＩを復号すること
を更に備える、請求項７に記載の方法。
【請求項９】
前記非周期的ＴＲＳの送信のために使用されるべき前記リソースを識別するダウンリンク許可ＤＣＩを受信すること
を更に備える、請求項３に記載の方法。
【請求項１０】
ゼロ許可又は無効許可を識別するために、前記ダウンリンク許可ＤＣＩのダウンリンク許可フィールドのビットの第１の部分を復号することと、
前記非周期的ＴＲＳがトリガされたという前記インジケーションを識別するために、第２のフィールドの第２の部分のビットを復号することと、前記第２のフィールドは、前記ダウンリンク許可フィールドのビットの前記第１の部分とは異なる、
を更に備える、請求項９に記載の方法。
【請求項１１】
前記第２のフィールドの前記ビットは、前記トリガリングイベントが発生したことを示し、前記トリガリングイベントの前記インジケーションは、前記非周期的ＴＲＳがトリガされることを更に示す、請求項１０に記載の方法。
【請求項１２】
前記非周期的ＴＲＳが受信されるのと同じスロット中で前記ＤＣＩを受信すること
を更に備える、請求項３に記載の方法。
【請求項１３】
前記非周期的ＴＲＳが受信されるスロットとは異なるスロット中で前記ＤＣＩを受信すること
を更に備える、請求項３に記載の方法。
【請求項１４】
前記ＤＣＩは、フォールバックＤＣＩフォーマット又は非フォールバックＤＣＩフォーマットのうちの少なくとも１つを備える、請求項３に記載の方法。
【請求項１５】
前記ＤＣＩは、前記非周期的ＴＲＳに関連付けられた送信タイミングパラメータのインジケーションを備える、請求項３に記載の方法。
【請求項１６】
前記トリガ信号は、媒体アクセス制御（ＭＡＣ）制御要素（ＣＥ）中で受信される、請求項１に記載の方法。
【請求項１７】
前記ＭＡＣ ＣＥに少なくとも部分的に基づいてセカンダリセルがアクティブ化されたと決定すること
を更に備える、請求項１６に記載の方法。
【請求項１８】
前記非周期的ＴＲＳは、前記ＭＡＣ ＣＥの定義された待機期間後に受信される、請求項１７に記載の方法。
【請求項１９】
前記ＭＡＣ ＣＥに少なくとも部分的に基づいてビーム変更イベントが発生したと決定すること
を更に備える、請求項１６に記載の方法。
【請求項２０】
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、請求項１６に記載の方法。
【請求項２１】
前記トリガリングイベントは、セカンダリセルアクティブ化を備え、
前記ＵＥのアクティブセルから前記トリガ信号を受信することと、
前記セカンダリセルアクティブ化においてアクティブ化されている前記セカンダリセルから前記非周期的ＴＲＳを受信することと、ここにおいて、前記トリガ信号中で識別される前記リソースは、前記非周期的ＴＲＳの送信のために使用されるセカンダリセルリソースを備える、
を更に備える、請求項１に記載の方法。
【請求項２２】
前記トリガリングイベントは、帯域幅部分切り替えイベントを備え、
前記ＵＥのアクティブ帯域幅部分を通して前記トリガ信号を受信することと、
前記帯域幅部分切り替えイベントにおいてアクティブ化されている帯域幅部分を通して前記非周期的ＴＲＳを受信することと、ここにおいて、前記アクティブ化された帯域幅部分は、前記アクティブ帯域幅部分とは異なり、前記トリガ信号中で識別される前記リソースは、前記アクティブ化された帯域幅部分を通しての前記非周期的ＴＲＳの送信のために使用されるアクティブ化された帯域幅部分リソースを備える、
を更に備える、請求項１に記載の方法。
【請求項２３】
前記トリガリングイベントは、ビーム変更イベントを備え、
前記ＵＥのアクティブビームを通して前記トリガ信号を受信することと、
前記ビーム変更イベントにおいてアクティブ化されているビームを通して前記非周期的ＴＲＳを受信することと、ここにおいて、前記アクティブ化されたビームは、前記アクティブビームとは異なり、前記トリガ信号中で識別される前記リソースは、前記アクティブ化されたビームを通しての前記非周期的ＴＲＳの送信のために使用されるアクティブ化されたビームリソースを備える、
を更に備える、請求項１に記載の方法。
【請求項２４】
ユーザ機器（ＵＥ）におけるワイヤレス通信のための方法であって、
非周期的トラッキング基準信号（ＴＲＳ）の送信のための１つ又は複数のリソースを識別する構成信号を受信することと、
前記ＵＥに関連付けられたトリガリングイベントが発生したと決定することと、
前記決定することに少なくとも部分的に基づいて、及び前記１つ又は複数のリソースに従って、前記非周期的ＴＲＳを受信することと
を備える、方法。
【請求項２５】
前記ＵＥがアイドルモード間欠受信状態で動作している間に前記ＵＥのためのページング機会中に前記非周期的ＴＲＳを受信すること、ここにおいて、前記ページング機会の発生は、前記トリガリングイベントを備える、
を更に備える、請求項２４に記載の方法。
【請求項２６】
接続モード間欠受信状態のオン持続時間前に前記非周期的ＴＲＳを受信することと、
前記非周期的ＴＲＳを受信することに少なくとも部分的に基づいて、データが前記ＵＥに通信されるべきであると決定することと、
前記データ通信のために前記間欠受信状態からアクティブ状態に遷移することと
を更に備える、請求項２４に記載の方法。
【請求項２７】
前記１つ又は複数のリソースは、送信タイミングパラメータを備え、前記送信タイミングパラメータは、前記トリガリングイベントの発生後の前記非周期的ＴＲＳの送信のための相対タイミングパラメータを備える、請求項２４に記載の方法。
【請求項２８】
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、請求項２４に記載の方法。
【請求項２９】
ユーザ機器（ＵＥ）におけるワイヤレス通信のための装置であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信するための手段と、
前記トリガ信号及び前記識別されたリソースに少なくとも部分的に基づいて、前記非周期的ＴＲＳを受信するための手段と、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行するための手段と
を備える、装置。
【請求項３０】
前記非周期的ＴＲＳは、非周期的チャネル状態情報基準信号（ＣＳＩ−ＲＳ）とは別個であるトラッキングのためのＣＳＩ−ＲＳを備える、請求項２９に記載の装置。
【請求項３１】
前記トリガ信号は、ダウンリンク制御インジケータ（ＤＣＩ）中で受信される、請求項２９に記載の装置。
【請求項３２】
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、請求項３１に記載の装置。
【請求項３３】
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、請求項３１に記載の装置。
【請求項３４】
前記トリガリングイベントが発生するより前に同期信号ブロック（ＳＳＢ）送信を受信するための手段
を更に備える、請求項３１に記載の装置。
【請求項３５】
前記非周期的ＴＲＳの送信のために使用されるべき前記リソースを識別するアップリンク許可ＤＣＩを受信するための手段
を更に備える、請求項３１に記載の装置。
【請求項３６】
チャネル状態情報基準信号の送信のために使用されるべき追加のリソースを識別するために、前記アップリンク許可ＤＣＩを復号するための手段
を更に備える、請求項３５に記載の装置。
【請求項３７】
前記非周期的ＴＲＳの送信のために使用されるべき前記リソースを識別するダウンリンク許可ＤＣＩを受信するための手段
を更に備える、請求項３１に記載の装置。
【請求項３８】
ゼロ許可又は無効許可を識別するために、前記ダウンリンク許可ＤＣＩのダウンリンク許可フィールドのビットの第１の部分を復号するための手段と、
前記非周期的ＴＲＳがトリガされたという前記インジケーションを識別するために、第２のフィールドの第２の部分のビットを復号するための手段と、前記第２のフィールドは、前記ダウンリンク許可フィールドのビットの前記第１の部分とは異なる、
を更に備える、請求項３７に記載の装置。
【請求項３９】
前記第２のフィールドの前記ビットは、前記トリガリングイベントが発生したことを示し、前記トリガリングイベントの前記インジケーションは、前記非周期的ＴＲＳがトリガされることを更に示す、請求項３８に記載の装置。
【請求項４０】
前記非周期的ＴＲＳが受信されるのと同じスロット中で前記ＤＣＩを受信するための手段
を更に備える、請求項３１に記載の装置。
【請求項４１】
前記非周期的ＴＲＳが受信されるスロットとは異なるスロット中で前記ＤＣＩを受信するための手段
を更に備える、請求項３１に記載の装置。
【請求項４２】
前記ＤＣＩは、フォールバックＤＣＩフォーマット又は非フォールバックＤＣＩフォーマットのうちの少なくとも１つを備える、請求項３１に記載の装置。
【請求項４３】
前記ＤＣＩは、前記非周期的ＴＲＳに関連付けられた送信タイミングパラメータのインジケーションを備える、請求項３１に記載の装置。
【請求項４４】
前記トリガ信号は、媒体アクセス制御（ＭＡＣ）制御要素（ＣＥ）中で受信される、請求項２９に記載の装置。
【請求項４５】
前記ＭＡＣ ＣＥに少なくとも部分的に基づいてセカンダリセルがアクティブ化されたと決定するための手段
を更に備える、請求項４４に記載の装置。
【請求項４６】
前記非周期的ＴＲＳは、前記ＭＡＣ ＣＥの定義された待機期間後に受信される、請求項４５に記載の装置。
【請求項４７】
ユーザ機器（ＵＥ）におけるワイヤレス通信のための装置であって、
非周期的トラッキング基準信号（ＴＲＳ）の送信のための１つ又は複数のリソースを識別する構成信号を受信するための手段と、
前記ＵＥに関連付けられたトリガリングイベントが発生したと決定するための手段と、
前記決定することに少なくとも部分的に基づいて、及び前記１つ又は複数のリソースに従って、前記非周期的ＴＲＳを受信するための手段と
を備える、装置。
【請求項４８】
前記ＵＥがアイドルモード間欠受信状態で動作している間に前記ＵＥのためのページング機会中に前記非周期的ＴＲＳを受信するための手段、ここにおいて、前記ページング機会の発生は、前記トリガリングイベントを備える、
を更に備える、請求項４７に記載の装置。
【発明の詳細な説明】
【関連出願の相互参照】
【０００１】
[0001]本特許出願は、２０１８年１２月１９日に出願された「Aperiod Tracking Reference Signal」と題されたLee他による米国特許出願第１６／２２５，９４１号、及び２０１８年１月９日に出願された「Aperiodic Tracking Reference Signal」と題されたLee他による米国仮特許出願第６２／６１５，０６３の利益を主張し、それらの各々は、本出願の譲受人に譲渡され、本明細書に明確に組み込まれる。
【背景技術】
【０００２】
[0002]以下は、一般にワイヤレス通信に関し、より詳細には非周期的トラッキング基準信号（ＴＲＳ：tracking reference signal）に関する。
【０００３】
[0003]ワイヤレス通信システムは、音声、ビデオ、パケットデータ、メッセージング、ブロードキャスト、等などの様々なタイプの通信コンテンツを提供するために幅広く展開されている。これらのシステムは、利用可能なシステムリソース（例えば、時間、周波数、及び電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、又はＬＴＥ−Ａプロシステムなどの第４世代（４Ｇ）システムと、ニューラジオ（ＮＲ）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、又は離散フーリエ変換拡散ＯＦＤＭ（ＤＦＴ−Ｓ−ＯＦＤＭ）などの技術を用い得る。ワイヤレス多元接続通信システムは、いくつかの基地局又はネットワークアクセスノードを含み得、各々が、別名ユーザ機器（ＵＥ）としても知られ得る複数の通信デバイスのための通信を同時にサポートする。
【０００４】
[0004]ワイヤレス通信システムは、多様な目的、例えば、チャネル推定、ビームトラッキング、同期、及び同様のもののために基準信号を使用し得る。ワイヤレス通信システムの中には、常時オン基準信号構成（an always on reference signal configuration）、例えば、チャネル状態情報基準信号（ＣＳＩ−ＲＳ）を使用するものがあり得、ここで、基準信号は、全てのスロット、サブフレーム、等の間に予め定義されたリソース要素（ＲＥ）中で送信される。そのような常時オン基準信号の送信は、任意の進行中のワイヤレス通信があるかどうかにかかわらず発生し得る。これは、いくつかのシナリオでは許容可能であり得るが、この手法は、時間周波数リソース、チャネル占有時間、低減されたシステムスループット、無駄、及び同様のものに関して高いコストを伴う。
【０００５】
[0005]そのような高いコストに対処するために、ワイヤレス通信システムの中には、周期的基準信号構成を使用するものがあり得る。この手法は、常にオンであるとは限らないが、アクティブ化されると周期的スケジュールに従って複数回送信される基準信号を使用することを含み得る。一般に、周期的基準信号は、時間／周波数トラッキング、ドップラ／遅延拡散推定、及び同様のもののために使用され得、無線リソース制御（ＲＲＣ）信号などの構成信号を使用して構成され得る。この手法に関する１つの懸念は、周期的基準信号がアクティブではないが、ＵＥと基地局との間でトラッキングする必要があり得るコールドスタートシナリオと呼ばれ得るものに関する。例えば、アクティブ化されていない（例えば、送信されている）周期的基準信号は、ＵＥと基地局との少なくともある程度の同期外れをもたらす。即ち、常時オン基準信号又は周期的基準信号が送信されない場合、ＵＥ及び基地局は、ＵＥモビリティ、時間／周波数シフト、等に起因して部分的に同期から外れ得る。いくつかの例では、ワイヤレス通信システムは、進行中の通信の外部ではＵＥと基地局との間に同期がほとんど又は全くないという点で、単に非同期であり得る。同期の喪失の原因にかかわらず、ＵＥ及び基地局がある程度揃えられる必要性をもたらし得るトリガリングイベント（例えば、コールドスタートイベント）が発生し得る。トリガリングイベントは、周期的イベント（例えば、トリガリングイベントが発生したときにのみスケジュールに従って発生するイベント）又は非周期的（例えば、動的に又は必要に応じて発生するイベント）であり得る。
【発明の概要】
【０００６】
[0006]説明される技法は、トラッキングのためのチャネル状態情報基準信号（ＣＳＩ−ＲＳ）などの非周期的トラッキング基準信号（ＴＲＳ）をサポートする改善された方法、システム、デバイス、又は装置に関する。一般に、説明される技法は、ユーザ機器（ＵＥ）におけるトリガリングイベントの発生に応答して、非周期的ＴＲＳの送信を提供する。いくつかの態様では、非周期的ＴＲＳのために使用されることができるリソースは、ＵＥに送信されるトリガ信号中、例えば、ダウンリンク制御インジケータ（ＤＣＩ）中、媒体アクセス制御（ＭＡＣ）制御要素（ＣＥ）中、及び同様のものの中で示され得る。他の態様では、基地局は、非周期的ＴＲＳリソースのインジケーションでＵＥを事前構成し得、その後、トリガリングイベントは、非周期的ＴＲＳのためのトリガとしての役割を果たし得る。いくつかの態様では、トリガリングイベントは、イベントが非周期的、動的、等で発生するという点で、コールドスタートのケースと見なされ得る。
【０００７】
[0007]このことから、いくつかの態様では、基地局及びＵＥは、トリガリングイベントが発生したと決定し得る。実例的なトリガリングイベントは、セカンダリセル（ＳＣｅｌｌ）がアクティブ化／非アクティブ化されること、帯域幅部分（ＢＷＰ：bandwidth part）における変更、ビーム変更（例えば、物理ダウンリンク共有チャネル（ＰＤＳＣＨ）ビームにおける変更）、ページング機会、及び同様のものを含み得るが、それらに限定されない。トリガリングイベントが発生することに応答して、基地局は、非周期的ＴＲＳの送信のために使用されるべきリソースのうちのいくつか又は全てを識別するトリガ信号をＵＥに送信し得る。例えば、トリガ信号は、非周期的ＴＲＳの送信のために使用されることになる実際の時間及び／又は周波数リソースを示し得る、及び／又はトリガ信号は、トリガリングイベントのインジケーション（例えば、ＳＣｅｌｌアクティブ化／非アクティブ化インジケーション）を提供し得、非周期的ＴＲＳのためのリソースは、そのインジケーションに基づき得る。その後、基地局は、トリガ信号中で識別又は別様に示されたリソース（１つ以上）を使用して非周期的ＴＲＳを送信し得る（及びＵＥは受信し得る）。ＵＥ及び基地局は、時間及び／又は周波数トラッキング、ドップラ／遅延拡散決定、及び同様のもののために非周期的ＴＲＳを使用し得る。
【０００８】
[0008]他の態様では、非周期的ＴＲＳに関連付けられたリソース（１つ以上）は、事前構成され得る。例えば、基地局は、トリガリングイベントが発生するときはいつでも非周期的ＴＲＳの送信のために使用されることになる時間及び／又は周波数リソースを識別する（無線リソース制御（ＲＲＣ）信号などの）構成信号をＵＥに送信し得る。非限定的な一例として、構成信号は、トリガリングイベント発生に関して非周期的ＴＲＳがいつ送信されることになるかを示す送信タイミングパラメータを提供し得る。それ故に、ＵＥ及び基地局は、トリガリングイベントが発生したことを検出又は別様に決定し得、基地局は、トリガリングイベントに応答して、及び構成信号に基づいて非周期的ＴＲＳを送信し得る。
【０００９】
[0009]ワイヤレス通信の方法が説明される。方法は、ＵＥに関連付けられたトリガリングイベントが発生したと決定することと、決定することに少なくとも部分的に基づいて、非周期的ＴＲＳの送信のために使用されるべきリソースを識別するトリガ信号を送信することと、トリガ信号及び識別されたリソースに少なくとも部分的に基づいて、非周期的ＴＲＳを送信することとを含み得る。
【００１０】
[0010]ワイヤレス通信のための装置が説明される。装置は、ＵＥに関連付けられたトリガリングイベントが発生したと決定するための手段と、決定することに少なくとも部分的に基づいて、非周期的ＴＲＳの送信のために使用されるべきリソースを識別するトリガ信号を送信するための手段と、トリガ信号及び識別されたリソースに少なくとも部分的に基づいて、非周期的ＴＲＳを送信するための手段とを含み得る。
【００１１】
[0011]ワイヤレス通信のための別の装置が説明される。装置は、プロセッサと、プロセッサと電子通信状態にあるメモリと、メモリ中に記憶された命令とを含み得る。命令は、プロセッサに、ＵＥに関連付けられたトリガリングイベントが発生したと決定することと、決定することに少なくとも部分的に基づいて、非周期的ＴＲＳの送信のために使用されるべきリソースを識別するトリガ信号を送信することと、トリガ信号及び識別されたリソースに少なくとも部分的に基づいて、非周期的ＴＲＳを送信することとを行わせるように動作可能であり得る。
【００１２】
[0012]ワイヤレス通信のための非一時的コンピュータ可読媒体が説明される。非一時的コンピュータ可読媒体は、プロセッサに、ＵＥに関連付けられたトリガリングイベントが発生したと決定することと、決定することに少なくとも部分的に基づいて、非周期的ＴＲＳの送信のために使用されるべきリソースを識別するトリガ信号を送信することと、トリガ信号及び識別されたリソースに少なくとも部分的に基づいて、非周期的ＴＲＳを送信することとを行わせるように動作可能な命令を含み得る。
【００１３】
[0013]上述された方法、装置、及び非一時的コンピュータ可読媒体のいくつかの例では、トリガ信号は、ＤＣＩ中で送信され得る。
【００１４】
[0014]上述された方法、装置、及び非一時的コンピュータ可読媒体のいくつかの例では、トリガ信号は、非周期的ＴＲＳがトリガされ得ることを示すフィールド又はトリガリングイベントを示すフィールドのうちの少なくとも１つを示し、トリガリングイベントのインジケーションは、非周期的ＴＲＳがトリガされ得るというインジケーションを備える。
【００１５】
[0015]上述された方法、装置、及び非一時的コンピュータ可読媒体のいくつかの例は、トリガリングイベントが発生するより前に同期信号ブロック（ＳＳＢ）送信を実行するためのプロセス、特徴、手段、又は命令を更に含み得、ＳＳＢ送信は、トリガリングイベントに関連付けられた情報の少なくとも一部分を示す。
【００１６】
[0016]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００１７】
[0017]上述された方法、装置、及び非一時的コンピュータ可読媒体のいくつかの例は、非周期的ＴＲＳの送信のために使用されるべきリソースを識別するアップリンクＤＣＩを送信するためのプロセス、特徴、手段、又は命令を更に含み得る。
【００１８】
[0018]上述された方法、装置、及び非一時的コンピュータ可読媒体のいくつかの例は、チャネル状態情報基準信号の送信のために使用されるべき追加のリソースを識別するようにアップリンクＤＣＩを構成するためのプロセス、特徴、手段、又は命令を更に含み得る。
【００１９】
[0019]上述された方法、装置、及び非一時的コンピュータ可読媒体のいくつかの例は、非周期的ＴＲＳの送信のために使用されるべきリソースを識別するダウンリンクＤＣＩを送信するためのプロセス、特徴、手段、又は命令を更に含み得る。
【００２０】
[0020]上述された方法、装置、及び非一時的コンピュータ可読媒体のいくつかの例は、ゼロ許可（zero grant）又は無効許可（invalid grant）を示すようにダウンリンクＤＣＩのダウンリンク許可フィールドのビットを構成するためのプロセス、特徴、手段、又は命令を更に含み得る。上述された方法、装置、及び非一時的コンピュータ可読媒体のいくつかの例は、非周期的ＴＲＳがトリガされているかもしれないことを示すように第２のフィールドのビットを構成するためのプロセス、特徴、手段、又は命令を更に含み得、第２のフィールドは、ダウンリンク許可フィールドとは異なる。
【００２１】
[0021]上述された方法、装置、及び非一時的コンピュータ可読媒体のいくつかの例では、第２のフィールドの構成されたビットは、トリガリングイベントが発生しているかもしれないことを示し、トリガリングイベントのインジケーションは、非周期的ＴＲＳがトリガされ得ることを更に示す。
【００２２】
[0022]上述された方法、装置、及び非一時的コンピュータ可読媒体のいくつかの例は、非周期的ＴＲＳが送信され得るのと同じスロット中でＤＣＩを送信するためのプロセス、特徴、手段、又は命令を更に含み得る。
【００２３】
[0023]上述された方法、装置、及び非一時的コンピュータ可読媒体のいくつかの例は、非周期的ＴＲＳが送信され得るスロットとは異なるスロット中でＤＣＩを送信するためのプロセス、特徴、手段、又は命令を更に含み得る。
【００２４】
[0024]上述された方法、装置、及び非一時的コンピュータ可読媒体のいくつかの例では、ＤＣＩは、フォールバックＤＣＩフォーマット又は非フォールバックＤＣＩフォーマットのうちの少なくとも１つを備える。
【００２５】
[0025]上述された方法、装置、及び非一時的コンピュータ可読媒体のいくつかの例では、ＤＣＩは、非周期的ＴＲＳに関連付けられた送信タイミングパラメータのインジケーションを備える。
【００２６】
[0026]上述された方法、装置、及び非一時的コンピュータ可読媒体のいくつかの例では、トリガ信号は、媒体アクセス制御（ＭＡＣ）制御要素（ＣＥ）中で送信され得る。
【００２７】
[0027]上述された方法、装置、及び非一時的コンピュータ可読媒体のいくつかの例は、セカンダリセルがアクティブ化されているかもしれないことを示すようにＭＡＣ ＣＥを構成するためのプロセス、特徴、手段、又は命令を更に含み得る。
【００２８】
[0028]上述された方法、装置、及び非一時的コンピュータ可読媒体のいくつかの例では、非周期的ＴＲＳは、ＭＡＣ ＣＥの定義された待機期間後に送信され得る。
【００２９】
[0029]上述された方法、装置、及び非一時的コンピュータ可読媒体のいくつかの例は、ビーム変更イベントが発生しているかもしれないことを示すようにＭＡＣ ＣＥを構成するためのプロセス、特徴、手段、又は命令を更に含み得る。
【００３０】
[0030]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００３１】
[0031]上述された方法、装置、及び非一時的コンピュータ可読媒体のいくつかの例では、非周期的ＴＲＳは、トラッキングのためのチャネル状態情報基準信号（ＣＳＩ−ＲＳ）を備える。
【００３２】
[0032]ワイヤレス通信の方法が説明される。方法は、ＵＥに関連付けられたトリガリングイベントが発生したと決定することと、決定することに少なくとも部分的に基づいて、非周期的ＴＲＳの送信のために使用されるべきリソースを識別するトリガ信号を受信することと、トリガ信号及び識別されたリソースに少なくとも部分的に基づいて、非周期的ＴＲＳを受信することとを含み得る。
【００３３】
[0033]ワイヤレス通信のための装置が説明される。装置は、ＵＥに関連付けられたトリガリングイベントが発生したと決定するための手段と、決定することに少なくとも部分的に基づいて、非周期的ＴＲＳの送信のために使用されるべきリソースを識別するトリガ信号を受信するための手段と、トリガ信号及び識別されたリソースに少なくとも部分的に基づいて、非周期的ＴＲＳを受信するための手段とを含み得る。
【００３４】
[0034]ワイヤレス通信のための別の装置が説明される。装置は、プロセッサと、プロセッサと電子通信状態にあるメモリと、メモリ中に記憶された命令とを含み得る。命令は、プロセッサに、ＵＥに関連付けられたトリガリングイベントが発生したと決定することと、決定することに少なくとも部分的に基づいて、非周期的ＴＲＳの送信のために使用されるべきリソースを識別するトリガ信号を受信することと、トリガ信号及び識別されたリソースに少なくとも部分的に基づいて、非周期的ＴＲＳを受信することとを行わせるように動作可能であり得る。
【００３５】
[0035]ワイヤレス通信のための非一時的コンピュータ可読媒体が説明される。非一時的コンピュータ可読媒体は、プロセッサに、ＵＥに関連付けられたトリガリングイベントが発生したと決定することと、決定することに少なくとも部分的に基づいて、非周期的ＴＲＳの送信のために使用されるべきリソースを識別するトリガ信号を受信することと、トリガ信号及び識別されたリソースに少なくとも部分的に基づいて、非周期的ＴＲＳを受信することとを行わせるように動作可能な命令を含み得る。
【００３６】
[0036]上述された方法、装置、及び非一時的コンピュータ可読媒体のいくつかの例では、トリガ信号は、ＤＣＩ中で受信され得る。
【００３７】
[0037]上述された方法、装置、及び非一時的コンピュータ可読媒体のいくつかの例では、トリガ信号は、非周期的ＴＲＳがトリガされ得ることを示すフィールド又はトリガリングイベントを示すフィールドのうちの少なくとも１つを示し、トリガリングイベントのインジケーションは、非周期的ＴＲＳがトリガされ得るというインジケーションを備える。
【００３８】
[0038]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００３９】
[0039]上述された方法、装置、及び非一時的コンピュータ可読媒体のいくつかの例は、トリガリングイベントが発生するより前にＳＳＢ送信を受信するためのプロセス、特徴、手段、又は命令を更に含み得、ＳＳＢ送信は、トリガリングイベントに関連付けられた情報の少なくとも一部分を示す。
【００４０】
[0040]上述された方法、装置、及び非一時的コンピュータ可読媒体のいくつかの例は、非周期的ＴＲＳの送信のために使用されるべきリソースを識別するアップリンクＤＣＩを受信するためのプロセス、特徴、手段、又は命令を更に含み得る。
【００４１】
[0041]上述された方法、装置、及び非一時的コンピュータ可読媒体のいくつかの例は、チャネル状態情報基準信号の送信のために使用されるべき追加のリソースを識別するために、アップリンクＤＣＩを復号するためのプロセス、特徴、手段、又は命令を更に含み得る。
【００４２】
[0042]上述された方法、装置、及び非一時的コンピュータ可読媒体のいくつかの例は、非周期的ＴＲＳの送信のために使用されるべきリソースを識別するダウンリンクＤＣＩを受信するためのプロセス、特徴、手段、又は命令を更に含み得る。
【００４３】
[0043]上述された方法、装置、及び非一時的コンピュータ可読媒体のいくつかの例は、ゼロ許可又は無効許可を識別するために、ダウンリンクＤＣＩのダウンリンク許可フィールドのビットを復号するためのプロセス、特徴、手段、又は命令を更に含み得る。上述された方法、装置、及び非一時的コンピュータ可読媒体のいくつかの例は、非周期的ＴＲＳがトリガされているかもしれないというインジケーションを識別するために、第２のフィールドのビットを復号するためのプロセス、特徴、手段、又は命令を更に含み得、第２のフィールドは、ダウンリンク許可フィールドとは異なる。
【００４４】
[0044]上述された方法、装置、及び非一時的コンピュータ可読媒体のいくつかの例では、第２のフィールドの構成されたビットは、トリガリングイベントが発生しているかもしれないことを示し、トリガリングイベントのインジケーションは、非周期的ＴＲＳがトリガされ得ることを更に示す。
【００４５】
[0045]上述された方法、装置、及び非一時的コンピュータ可読媒体のいくつかの例は、非周期的ＴＲＳが受信され得るのと同じスロット中でＤＣＩを受信するためのプロセス、特徴、手段、又は命令を更に含み得る。
【００４６】
[0046]上述された方法、装置、及び非一時的コンピュータ可読媒体のいくつかの例は、非周期的ＴＲＳが受信され得るスロットとは異なるスロット中でＤＣＩを受信するためのプロセス、特徴、手段、又は命令を更に含み得る。
【００４７】
[0047]上述された方法、装置、及び非一時的コンピュータ可読媒体のいくつかの例では、ＤＣＩは、フォールバックＤＣＩフォーマット又は非フォールバックＤＣＩフォーマットのうちの少なくとも１つを備える。
【００４８】
[0048]上述された方法、装置、及び非一時的コンピュータ可読媒体のいくつかの例では、ＤＣＩは、非周期的ＴＲＳに関連付けられた送信タイミングパラメータのインジケーションを備える。
【００４９】
[0049]上述された方法、装置、及び非一時的コンピュータ可読媒体のいくつかの例では、トリガ信号は、ＭＡＣ ＣＥ中で受信され得る。
【００５０】
[0050]上述された方法、装置、及び非一時的コンピュータ可読媒体のいくつかの例は、ＭＡＣ ＣＥに少なくとも部分的に基づいてセカンダリセルがアクティブ化されたているかもしれないと決定するためのプロセス、特徴、手段、又は命令を更に含み得る。
【００５１】
[0051]上述された方法、装置、及び非一時的コンピュータ可読媒体のいくつかの例では、非周期的ＴＲＳは、ＭＡＣ ＣＥの定義された待機期間後に受信され得る。
【００５２】
[0052]上述された方法、装置、及び非一時的コンピュータ可読媒体のいくつかの例は、ＭＡＣ ＣＥに少なくとも部分的に基づいてビーム変更イベントが発生しているかもしれないと決定するためのプロセス、特徴、手段、又は命令を更に含み得る。
【００５３】
[0053]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００５４】
[0054]上述された方法、装置、及び非一時的コンピュータ可読媒体のいくつかの例では、非周期的ＴＲＳは、トラッキングのためのＣＳＩ−ＲＳを備える。
【００５５】
[0055]ワイヤレス通信の方法が説明される。方法は、ＵＥに構成信号を送信することと、構成信号は、非周期的ＴＲＳの送信のための送信タイミングパラメータを識別する、  ＵＥに関連付けられたトリガリングイベントが発生したと決定することと、  決定することに少なくとも部分的に基づいて、及び送信タイミングパラメータに従って、ＵＥに非周期的ＴＲＳを送信することとを含み得る。
【００５６】
[0056]ワイヤレス通信のための装置が説明される。装置は、ＵＥに構成信号を送信するための手段と、構成信号は、非周期的ＴＲＳの送信のための送信タイミングパラメータを識別する、  ＵＥに関連付けられたトリガリングイベントが発生したと決定するための手段と、  決定することに少なくとも部分的に基づいて、及び送信タイミングパラメータに従って、ＵＥに非周期的ＴＲＳを送信するための手段とを含み得る。
【００５７】
[0057]ワイヤレス通信のための別の装置が説明される。装置は、プロセッサと、プロセッサと電子通信状態にあるメモリと、メモリ中に記憶された命令とを含み得る。命令は、プロセッサに、ＵＥに構成信号を送信することと、構成信号は、非周期的ＴＲＳの送信のための送信タイミングパラメータを識別する、  ＵＥに関連付けられたトリガリングイベントが発生したと決定することと、  決定することに少なくとも部分的に基づいて、及び送信タイミングパラメータに従って、ＵＥに非周期的ＴＲＳを送信することとを行わせるように動作可能であり得る。
【００５８】
[0058]ワイヤレス通信のための非一時的コンピュータ可読媒体が説明される。非一時的コンピュータ可読媒体は、プロセッサに、ＵＥに構成信号を送信することと、構成信号は、非周期的ＴＲＳの送信のための送信タイミングパラメータを識別する、  ＵＥに関連付けられたトリガリングイベントが発生したと決定することと、  決定することに少なくとも部分的に基づいて、及び送信タイミングパラメータに従って、ＵＥに非周期的ＴＲＳを送信することとを行わせるように動作可能な命令を含み得る。
【００５９】
[0059]上述された方法、装置、及び非一時的コンピュータ可読媒体のいくつかの例は、ＵＥがアイドルモード間欠受信状態で動作しているかもしれない間にＵＥのためのページング機会を識別するためのプロセス、特徴、手段、又は命令を更に含み得、ページング機会は、トリガリングイベントを備える。
【００６０】
[0060]上述された方法、装置、及び非一時的コンピュータ可読媒体のいくつかの例は、ＵＥが接続モード間欠受信状態で動作しているかもしれない間にデータがＵＥに通信されるべきであり得ると決定するためのプロセス、特徴、手段、又は命令を更に含み得る。上述された方法、装置、及び非一時的コンピュータ可読媒体のいくつかの例は、ＵＥが間欠受信状態からウェイクするオン期間を識別するためのプロセス、特徴、手段、又は命令を更に含み得る。上述された方法、装置、及び非一時的コンピュータ可読媒体のいくつかの例は、送信タイミングパラメータに従ってオン期間より前又はオン期間中に非周期的ＴＲＳを送信するためのプロセス、特徴、手段、又は命令を更に含み得る。
【００６１】
[0061]上述された方法、装置、及び非一時的コンピュータ可読媒体のいくつかの例では、送信タイミングパラメータは、トリガリングイベントの発生後の非周期的ＴＲＳの送信のための相対タイミングパラメータを備える。
【００６２】
[0062]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００６３】
[0063]ワイヤレス通信の方法が説明される。方法は、非周期的ＴＲＳの送信のための送信タイミングパラメータを識別する構成信号を受信することと、ＵＥに関連付けられたトリガリングイベントが発生したと決定することと、決定することに少なくとも部分的に基づいて、及び送信タイミングパラメータに従って、非周期的ＴＲＳを受信することとを含み得る。
【００６４】
[0064]ワイヤレス通信のための装置が説明される。装置は、非周期的ＴＲＳの送信のための送信タイミングパラメータを識別する構成信号を受信するための手段と、ＵＥに関連付けられたトリガリングイベントが発生したと決定するための手段と、決定することに少なくとも部分的に基づいて、及び送信タイミングパラメータに従って、非周期的ＴＲＳを受信するための手段とを含み得る。
【００６５】
[0065]ワイヤレス通信のための別の装置が説明される。装置は、プロセッサと、プロセッサと電子通信状態にあるメモリと、メモリ中に記憶された命令とを含み得る。命令は、プロセッサに、非周期的ＴＲＳの送信のための送信タイミングパラメータを識別する構成信号を受信することと、ＵＥに関連付けられたトリガリングイベントが発生したと決定することと、決定することに少なくとも部分的に基づいて、及び送信タイミングパラメータに従って、非周期的ＴＲＳを受信することとを行わせるように動作可能であり得る。
【００６６】
[0066]ワイヤレス通信のための非一時的コンピュータ可読媒体が説明される。非一時的コンピュータ可読媒体は、プロセッサに、非周期的ＴＲＳの送信のための送信タイミングパラメータを識別する構成信号を受信することと、ＵＥに関連付けられたトリガリングイベントが発生したと決定することと、決定することに少なくとも部分的に基づいて、及び送信タイミングパラメータに従って、非周期的ＴＲＳを受信することとを行わせるように動作可能な命令を含み得る。
【００６７】
[0067]上述された方法、装置、及び非一時的コンピュータ可読媒体のいくつかの例は、ＵＥがアイドルモード間欠受信状態で動作しているかもしれない間にＵＥのためのページング機会中に非周期的ＴＲＳを受信するためのプロセス、特徴、手段、又は命令を更に含み得、ページング機会の発生は、トリガリングイベントを備える。
【００６８】
[0068]上述された方法、装置、及び非一時的コンピュータ可読媒体のいくつかの例は、接続モード間欠受信状態のオン持続時間前に非周期的ＴＲＳを受信するためのプロセス、特徴、手段、又は命令を更に含み得る。上述された方法、装置、及び非一時的コンピュータ可読媒体のいくつかの例は、非周期的ＴＲＳを受信することに少なくとも部分的に基づいて、データがＵＥに通信されるべきであり得ると決定するためのプロセス、特徴、手段、又は命令を更に含み得る。上述された方法、装置、及び非一時的コンピュータ可読媒体のいくつかの例は、データ通信のために間欠受信状態からアクティブ状態に遷移するためのプロセス、特徴、手段、又は命令を更に含み得る。
【００６９】
[0069]上述された方法、装置、及び非一時的コンピュータ可読媒体のいくつかの例では、送信タイミングパラメータは、トリガリングイベントの発生後の非周期的ＴＲＳの送信のための相対タイミングパラメータを備える。
【００７０】
[0070]上述された方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える。
【００７１】
[0071]ＵＥにおけるワイヤレス通信の方法が説明される。方法は、ＵＥに関連付けられたトリガリングイベントの発生に基づいて、非周期的ＴＲＳの送信のために使用されるべきリソースを識別するトリガ信号を受信することと、トリガ信号及び識別されたリソースに基づいて非周期的ＴＲＳを受信することと、トリガリングイベントの発生に応答して、及び非周期的ＴＲＳに基づいて、トラッキング機能、又は同期機能、又はアラインメント機能、又はそれらの組み合わせのうちの少なくとも１つを実行することとを含み得る。
【００７２】
[0072]ＵＥにおけるワイヤレス通信のための装置が説明される。装置は、プロセッサと、プロセッサと電子通信状態にあるメモリと、メモリ中に記憶された命令とを含み得る。命令は、装置に、ＵＥに関連付けられたトリガリングイベントの発生に基づいて、非周期的ＴＲＳの送信のために使用されるべきリソースを識別するトリガ信号を受信することと、トリガ信号及び識別されたリソースに基づいて非周期的ＴＲＳを受信することと、トリガリングイベントの発生に応答して、及び非周期的ＴＲＳに基づいて、トラッキング機能、又は同期機能、又はアラインメント機能、又はそれらの組み合わせのうちの少なくとも１つを実行することとを行わせるようにプロセッサによって実行可能であり得る。
【００７３】
[0073]ＵＥにおけるワイヤレス通信のための別の装置が説明される。装置は、ＵＥに関連付けられたトリガリングイベントの発生に基づいて、非周期的ＴＲＳの送信のために使用されるべきリソースを識別するトリガ信号を受信するための手段と、トリガ信号及び識別されたリソースに基づいて非周期的ＴＲＳを受信するための手段と、トリガリングイベントの発生に応答して、及び非周期的ＴＲＳに基づいて、トラッキング機能、又は同期機能、又はアラインメント機能、又はそれらの組み合わせのうちの少なくとも１つを実行するための手段とを含み得る。
【００７４】
[0074]ＵＥにおけるワイヤレス通信のためのコードを記憶する非一時的コンピュータ可読媒体が説明される。コードは、ＵＥに関連付けられたトリガリングイベントの発生に基づいて、非周期的ＴＲＳの送信のために使用されるべきリソースを識別するトリガ信号を受信することと、トリガ信号及び識別されたリソースに基づいて非周期的ＴＲＳを受信することと、トリガリングイベントの発生に応答して、及び非周期的ＴＲＳに基づいて、トラッキング機能、又は同期機能、又はアラインメント機能、又はそれらの組み合わせのうちの少なくとも１つを実行することとを行うようにプロセッサによって実行可能な命令を含み得る。
【００７５】
[0075]本明細書で説明される方法、装置、及び非一時的コンピュータ可読媒体のいくつかの例では、非周期的ＴＲＳは、非周期的ＣＳＩ−ＲＳとは別個であり得るトラッキングのためのＣＳＩ−ＲＳを含む。
【００７６】
[0076]本明細書で説明される方法、装置、及び非一時的コンピュータ可読媒体のいくつかの例では、トリガ信号は、ＤＣＩ中で受信され得る。
【００７７】
[0077]本明細書で説明される方法、装置、及び非一時的コンピュータ可読媒体のいくつかの例では、トリガ信号は、非周期的ＴＲＳがトリガされ得ることを示すフィールド又はトリガリングイベントを示すフィールドのうちの少なくとも１つを搬送し、ここで、トリガリングイベントのインジケーションは、非周期的ＴＲＳがトリガされ得るというインジケーションを含む。
【００７８】
[0078]本明細書で説明される方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを含む。
【００７９】
[0079]本明細書で説明される方法、装置、及び非一時的コンピュータ可読媒体のいくつかの例は、トリガリングイベントが発生するより前にＳＳＢ送信を受信するための動作、特徴、手段、又は命令を更に含み得る。
【００８０】
[0080]本明細書で説明される方法、装置、及び非一時的コンピュータ可読媒体のいくつかの例は、非周期的ＴＲＳの送信のために使用されるべきリソースを識別するアップリンク許可ＤＣＩを受信するための動作、特徴、手段、又は命令を更に含み得る。
【００８１】
[0081]本明細書で説明される方法、装置、及び非一時的コンピュータ可読媒体のいくつかの例は、チャネル状態情報基準信号の送信のために使用されるべき追加のリソースを識別するために、アップリンク許可ＤＣＩを復号するための動作、特徴、手段、又は命令を更に含み得る。
【００８２】
[0082]本明細書で説明される方法、装置、及び非一時的コンピュータ可読媒体のいくつかの例は、非周期的ＴＲＳの送信のために使用されるべきリソースを識別するダウンリンク許可ＤＣＩを受信するための動作、特徴、手段、又は命令を更に含み得る。
【００８３】
[0083]本明細書で説明される方法、装置、及び非一時的コンピュータ可読媒体のいくつかの例は、ゼロ許可又は無効許可を識別するために、ダウンリンク許可ＤＣＩのダウンリンク許可フィールドのビットの第１の部分を復号することと、非周期的ＴＲＳがトリガされているかもしれないというインジケーションを識別するために、第２のフィールドの第２の部分のビットを復号することとを行うための動作、特徴、手段、又は命令を更に含み得、第２のフィールドは、ダウンリンク許可フィールドのビットの第１の部分とは異なる。
【００８４】
[0084]本明細書で説明される方法、装置、及び非一時的コンピュータ可読媒体のいくつかの例では、第２のフィールドのビットは、トリガリングイベントが発生しているかもしれないことを示し、トリガリングイベントのインジケーションは、非周期的ＴＲＳがトリガされ得ることを更に示す。
【００８５】
[0085]本明細書で説明される方法、装置、及び非一時的コンピュータ可読媒体のいくつかの例は、非周期的ＴＲＳが受信され得るのと同じスロット中でＤＣＩを受信するための動作、特徴、手段、又は命令を更に含み得る。
【００８６】
[0086]本明細書で説明される方法、装置、及び非一時的コンピュータ可読媒体のいくつかの例は、非周期的ＴＲＳが受信され得るスロットとは異なるスロット中でＤＣＩを受信するための動作、特徴、手段、又は命令を更に含み得る。
【００８７】
[0087]本明細書で説明される方法、装置、及び非一時的コンピュータ可読媒体のいくつかの例では、ＤＣＩは、フォールバックＤＣＩフォーマット又は非フォールバックＤＣＩフォーマットのうちの少なくとも１つを含む。
【００８８】
[0088]本明細書で説明される方法、装置、及び非一時的コンピュータ可読媒体のいくつかの例では、ＤＣＩは、非周期的ＴＲＳに関連付けられた送信タイミングパラメータのインジケーションを含む。
【００８９】
[0089]本明細書で説明される方法、装置、及び非一時的コンピュータ可読媒体のいくつかの例では、トリガ信号は、ＭＡＣ ＣＥ中で受信され得る。
【００９０】
[0090]本明細書で説明される方法、装置、及び非一時的コンピュータ可読媒体のいくつかの例は、ＭＡＣ ＣＥに基づいてセカンダリセルがアクティブ化されているかもしれないと決定するための動作、特徴、手段、又は命令を更に含み得る。
【００９１】
[0091]本明細書で説明される方法、装置、及び非一時的コンピュータ可読媒体のいくつかの例では、非周期的ＴＲＳは、ＭＡＣ ＣＥの定義された待機期間後に受信され得る。
【００９２】
[0092]本明細書で説明される方法、装置、及び非一時的コンピュータ可読媒体のいくつかの例は、ＭＡＣ ＣＥに基づいてビーム変更イベントが発生しているかもしれないと決定するための動作、特徴、手段、又は命令を更に含み得る。
【００９３】
[0093]本明細書で説明される方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを含む。
【００９４】
[0094]本明細書で説明される方法、装置、及び非一時的コンピュータ可読媒体のいくつかの例では、トリガリングイベントは、ＵＥのアクティブセルからトリガ信号を受信することと、セカンダリセルアクティブ化においてアクティブ化されているセカンダリセルから非周期的ＴＲＳを受信することとを行うための動作、特徴、手段、又は命令を含み得、ここで、トリガ信号中で識別されるリソースは、非周期的ＴＲＳの送信のために使用されるセカンダリセルリソースを含む。
【００９５】
[0095]本明細書で説明される方法、装置、及び非一時的コンピュータ可読媒体のいくつかの例では、トリガリングイベントは、ＵＥのアクティブ帯域幅部分を通してトリガ信号を受信することと、帯域幅部分切り替えイベントにおいてアクティブ化されている帯域幅部分を通して非周期的ＴＲＳを受信することとを行うための動作、特徴、手段、又は命令を含み得、ここで、アクティブ化された帯域幅部分は、アクティブ帯域幅部分とは異なり得、トリガ信号中で識別されるリソースは、アクティブ化された帯域幅部分を通しての非周期的ＴＲＳの送信のために使用されるアクティブ化された帯域幅部分リソースを含む。
【００９６】
[0096]本明細書で説明される方法、装置、及び非一時的コンピュータ可読媒体のいくつかの例では、トリガリングイベントは、ＵＥのアクティブビームを通してトリガ信号を受信することと、ビーム変更イベントにおいてアクティブ化されているビームを通して非周期的ＴＲＳを受信することとを行うための動作、特徴、手段、又は命令を含み得、ここで、アクティブ化されたビームは、アクティブビームとは異なり得、トリガ信号中で識別されるリソースは、アクティブ化されたビームを通しての非周期的ＴＲＳの送信のために使用されるアクティブ化されたビームリソースを含む。
【００９７】
[0097]ＵＥにおけるワイヤレス通信の方法が説明される。方法は、非周期的ＴＲＳの送信のための１つ又は複数のリソースを識別する構成信号を受信することと、ＵＥに関連付けられたトリガリングイベントが発生したと決定することと、決定することに基づいて、及び１つ又は複数のリソースに従って、非周期的ＴＲＳを受信することとを含み得る。
【００９８】
[0098]ＵＥにおけるワイヤレス通信のための装置が説明される。装置は、プロセッサと、プロセッサと電子通信状態にあるメモリと、メモリ中に記憶された命令とを含み得る。命令は、装置に、非周期的ＴＲＳの送信のための１つ又は複数のリソースを識別する構成信号を受信することと、ＵＥに関連付けられたトリガリングイベントが発生したと決定することと、決定することに基づいて、及び１つ又は複数のリソースに従って、非周期的ＴＲＳを受信することとを行わせるようにプロセッサによって実行可能であり得る。
【００９９】
[0099]ＵＥにおけるワイヤレス通信のための別の装置が説明される。装置は、非周期的ＴＲＳの送信のための１つ又は複数のリソースを識別する構成信号を受信するための手段と、ＵＥに関連付けられたトリガリングイベントが発生したと決定するための手段と、決定することに基づいて、及び１つ又は複数のリソースに従って、非周期的ＴＲＳを受信するための手段とを含み得る。
【０１００】
[0100]ＵＥにおけるワイヤレス通信のためのコードを記憶する非一時的コンピュータ可読媒体が説明される。コードは、非周期的ＴＲＳの送信のための１つ又は複数のリソースを識別する構成信号を受信することと、ＵＥに関連付けられたトリガリングイベントが発生したと決定することと、決定することに基づいて、及び１つ又は複数のリソースに従って、非周期的ＴＲＳを受信することとを行うようにプロセッサによって実行可能な命令を含み得る。
【０１０１】
[0101]本明細書で説明される方法、装置、及び非一時的コンピュータ可読媒体のいくつかの例は、ＵＥがアイドルモード間欠受信状態で動作しているかもしれない間にＵＥのためのページング機会中に非周期的ＴＲＳを受信するための動作、特徴、手段、又は命令を更に含み得、ここで、ページング機会の発生は、トリガリングイベントを含む。
【０１０２】
[0102]本明細書で説明される方法、装置、及び非一時的コンピュータ可読媒体のいくつかの例は、接続モード間欠受信状態のオン持続時間前に非周期的ＴＲＳを受信することと、非周期的ＴＲＳを受信することに基づいて、データがＵＥに通信されるべきであり得ると決定することと、データ通信のために間欠受信状態からアクティブ状態に遷移することとを行うための動作、特徴、手段、又は命令を更に含み得る。
【０１０３】
[0103]本明細書で説明される方法、装置、及び非一時的コンピュータ可読媒体のいくつかの例では、１つ又は複数のリソースは、送信タイミングパラメータを含み、送信タイミングパラメータは、トリガリングイベントの発生後の非周期的ＴＲＳの送信のための相対タイミングパラメータを含む。
【０１０４】
[0104]本明細書で説明される方法、装置、及び非一時的コンピュータ可読媒体のいくつかの例では、トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを含む。
【図面の簡単な説明】
【０１０５】
【図１】[0105]本開示の態様による、非周期的ＴＲＳをサポートするワイヤレス通信のためのシステムの一例を例示する。
【図２】[0106]本開示の態様による、非周期的ＴＲＳをサポートするプロセスの一例を例示する。
【図３】[0107]本開示の態様による、非周期的ＴＲＳをサポートするプロセスの一例を例示する。
【図４】[0108]本開示の態様による、非周期的ＴＲＳをサポートするタイミング図の一例を例示する。
【図５】[0109]本開示の態様による、非周期的ＴＲＳをサポートするデバイスのブロック図を示す。
【図６】本開示の態様による、非周期的ＴＲＳをサポートするデバイスのブロック図を示す。
【図７】本開示の態様による、非周期的ＴＲＳをサポートするデバイスのブロック図を示す。
【図８】[0110]本開示の態様による、非周期的ＴＲＳをサポートする基地局を含むシステムのブロック図を例示する。
【図９】[0111]本開示の態様による、非周期的ＴＲＳをサポートするデバイスのブロック図を示す。
【図１０】本開示の態様による、非周期的ＴＲＳをサポートするデバイスのブロック図を示す。
【図１１】本開示の態様による、非周期的ＴＲＳをサポートするデバイスのブロック図を示す。
【図１２】[0112]本開示の態様による、非周期的ＴＲＳをサポートするＵＥを含むシステムのブロック図を例示する。
【図１３】[0113]本開示の態様による非周期的ＴＲＳのための方法を例示する。
【図１４】本開示の態様による非周期的ＴＲＳのための方法を例示する。
【図１５】本開示の態様による非周期的ＴＲＳのための方法を例示する。
【図１６】本開示の態様による非周期的ＴＲＳのための方法を例示する。
【詳細な説明】
【０１０６】
[0114]ワイヤレス通信システムの中には、常時オン基準信号、例えば、任意の進行中の通信があるかどうかにかかわらず常に送信されている基準信号を含まない基準信号送信方式を使用するものがあり得る。代わりに、基準信号は、周期的スケジュールに従って送信されている間、周期的基準信号が常に送信されているとは限らないという点で、周期的基準信号と見なされ得る（例えば、周期的基準信号は、アクティブ化されるときにのみ送信され、固定持続時間の間アクティブ化される）。これは、ワイヤレス通信システムのための時間／周波数リソースを節約し得るが、例えば、ＵＥモビリティ、時間／周波数シフト、等に起因して、基地局とユーザ機器（ＵＥ）との間の時間／周波数同期及びトラッキングに関してコストがかかり得る。
【０１０７】
[0115]本開示の態様は、ワイヤレス通信システムのコンテキストにおいて最初に説明される。概して、本開示の態様は、基地局とＵＥとの間の非周期的トラッキング基準信号（ＴＲＳ）などの非周期的基準信号の効率的且つ信頼できる通信のための機構を提供する。いくつかの態様では、非周期的ＴＲＳの送信は、トリガリングイベントが発生することに応答してトリガ信号が送信されるという点でトリガベースであり得る。トリガ信号は、トリガリングイベントのタイミングに関する非周期的ＴＲＳの送信のための送信タイミングパラメータなどの、非周期的ＴＲＳの送信のために使用されるべきリソースのうちのいくつか又は全てを提供又は別様に示し得る。トリガ信号は、ダウンリンク制御インジケータ（ＤＣＩ）中、媒体アクセス制御（ＭＡＣ）制御要素（ＣＥ）中、及び同様のものの中で、非周期的ＴＲＳリソースを明示的及び／又は暗示的に提供又は別様に示し得る。それ故に、及びトリガリングイベントが発生することに応答して、基地局は、トリガ信号中で識別又は別様に示されたリソース（１つ以上）を使用して非周期的ＴＲＳを送信し得る（及びＵＥは受信し得る）。ＵＥは、同期、トラッキング、及び同様のもののために非周期的ＴＲＳを使用し得る。
【０１０８】
[0116]別の態様では、基地局及びＵＥは、非周期的ＴＲＳの送信のために使用されるべきリソース（１つ以上）のうちのいくつか又は全てで事前構成され得る。例えば、基地局は、非周期的ＴＲＳの送信のために使用され得るリソース（１つ以上）を識別又は別様に示す無線リソース制御（ＲＲＣ）信号などの構成信号をＵＥに送信し得る。構成信号は、例えば、非周期的ＴＲＳの送信ために使用されることができる送信タイミングパラメータを識別し得る。送信タイミングパラメータは、トリガリングイベントの発生に関して非周期的ＴＲＳが送信される相対時間であり得る。それ故に、ＵＥ及び基地局は、トリガリングイベントが発生したと決定し得、基地局は、トリガリングイベントが発生することに応答して、及び構成信号中で識別又は別様に示されたリソースに従って、非周期的ＴＲＳを送信し得る。
【０１０９】
[0117]本開示の態様は、非周期的ＴＲＳに関連する装置図、システム図、及びフローチャートによって更に例示され、それらを参照して説明される。
【０１１０】
[0118]図１は、本開示の様々な態様による、ワイヤレス通信システム１００の一例を例示している。ワイヤレス通信システム１００は、基地局１０５、ＵＥ１１５、及びコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、又はニューラジオ（ＮＲ）ネットワークであり得る。いくつかのケースでは、ワイヤレス通信システム１００は、拡張ブロードバンド通信、超高信頼（例えば、ミッションクリティカル）通信、低レイテンシ通信、又は低コスト及び低複雑性デバイスとの通信をサポートし得る。
【０１１１】
[0119]基地局１０５は、１つ又は複数の基地局アンテナを介して、ＵＥ１１５とワイヤレスに通信し得る。本明細書で説明される基地局１０５は、ベーストランシーバ局、無線基地局、アクセスポイント、無線トランシーバ、ノードＢ、ｅノードＢ（ｅＮＢ）、次世代ノードＢ若しくはギガノードＢ（それらのいずれもｇＮＢと呼ばれ得る）、ホームノードＢ、ホームｅノードＢ、又は何らかの他の適切な専門用語を含み得るか、又はそのように当業者によって呼ばれ得る。ワイヤレス通信システム１００は、異なるタイプの基地局１０５（例えば、マクロセル基地局又はスモールセル基地局）を含み得る。本明細書で説明されるＵＥ１１５は、マクロｅＮＢ、スモールセルｅＮＢ、ｇＮＢ、中継基地局、及び同様のものを含む、様々なタイプの基地局１０５及びネットワーク機器と通信することが可能であり得る。
【０１１２】
[0120]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供し得、基地局１０５とＵＥ１１５との間の通信リンク１２５は、１つ又は複数のキャリアを利用し得る。ワイヤレス通信システム１００に示される通信リンク１２５は、ＵＥ１１５から基地局１０５へのアップリンク送信、又は基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【０１１３】
[0121]基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、若しくは他のタイプのセル、又はそれらの様々な組み合わせに通信カバレッジを提供し得る。いくつかの例では、基地局１０５は、移動可能であり、従って、移動する地理的カバレッジエリア１１０に通信カバレッジを提供し得る。いくつかの例では、異なる技術に関連付けられた異なる地理的カバレッジエリア１１０は、重複し得、異なる技術に関連付けられた重複する地理的カバレッジエリア１１０は、同じ基地局１０５によって又は異なる基地局１０５によってサポートされ得る。ワイヤレス通信システム１００は、例えば、異なるタイプの基地局１０５が様々な地理的カバレッジエリア１１０にカバレッジを提供する異種ＬＴＥ／ＬＴＥ−Ａ／ＬＴＥ−Ａプロ又はＮＲネットワークを含み得る。
【０１１４】
[0122]「セル」という用語は、（例えば、キャリアを通した）基地局１０５との通信のために使用される論理通信エンティティを指し、同じ又は異なるキャリアを介して動作する近隣セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、ナローバンドモノのインターネット（ＮＢ−ＩｏＴ）、拡張モバイルブロードバンド（ｅＭＢＢ）、又はその他）に従って構成され得る。いくつかのケースでは、「セル」という用語は、論理エンティティが動作する地理的カバレッジエリア１１０の一部分（例えば、セクタ）を指し得る。
【０１１５】
[0123]ＵＥ１１５は、ワイヤレス通信システム１００全体を通じて分散され得、各ＵＥ１１５は、固定式又は移動式であり得る。ＵＥ１１５はまた、モバイルデバイス、ワイヤレスデバイス、リモートデバイス、ハンドヘルドデバイス、若しくは加入者デバイス、又は何らかの他の適切な専門用語で呼ばれ得、ここで、「デバイス」は、ユニット、局、端末、又はクライアントとも呼ばれ得る。ＵＥ１１５はまた、セルラフォン、携帯情報端末（ＰＤＡ）、タブレットコンピュータ、ラップトップコンピュータ、又はパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、あらゆるモノのインターネット（ＩｏＥ）デバイス、若しくはＭＴＣデバイス、又は同様のものを指し得、それらは、アプライアンス、ビークル、メータ、又は同様のものなどの様々な物品においてインプリメントされ得る。
【０１１６】
[0124]ＭＴＣ又はＩｏＴデバイスなど、いくつかのＵＥ１１５は、低コスト又は低複雑性デバイスであり得、（例えば、マシンツーマシン（Ｍ２Ｍ）通信を介した）マシン間の自動通信を提供し得る。Ｍ２Ｍ通信又はＭＴＣは、デバイスが人間の介入なしに互いと又は基地局１０５と通信することを可能にするデータ通信技術を指し得る。いくつかの例では、Ｍ２Ｍ通信又はＭＴＣは、情報を測定又はキャプチャするためのセンサ又はメータを統合し、その情報を利用するか、又はプログラム若しくはアプリケーションと対話する人間にその情報を提示することができる中央サーバ又はアプリケーションプログラムにその情報を中継するデバイスからの通信を含み得る。いくつかのＵＥ１１５は、情報を収集するか、又は機械の自動化された挙動を可能にするように設計され得る。ＭＴＣデバイスのためのアプリケーションの例は、スマート計測、在庫モニタリング、水位モニタリング、機器モニタリング、ヘルスケアモニタリング、野生生物モニタリング、天候及び地質学的イベントモニタリング、保有車両（fleet）管理及びトラッキング、リモートセキュリティ感知、物理アクセス制御、及び取引ベースのビジネス課金（transaction-based business charging）を含む。
【０１１７】
[0125]いくつかのＵＥ１１５は、半複信通信（例えば、送信又は受信を介した一方向通信をサポートするが、送信と受信とを同時にサポートしないモード）など、電力消費を低減する動作モードを用いるように構成され得る。いくつかの例では、半複信通信は、低減されたピークレートで実行され得る。ＵＥ１１５のための他の電力節約技法は、アクティブ通信に従事していないとき電力節約「ディープスリープ」モードに入ること、又は（例えば、ナローバンド通信に従って）制限された帯域幅を通して動作すること、を含む。いくつかのケースでは、ＵＥ１１５は、クリティカルな機能（例えば、ミッションクリティカル機能）をサポートするように設計され得、ワイヤレス通信システム１００は、これらの機能のための超高信頼通信を提供するように構成され得る。
【０１１８】
[0126]いくつかのケースでは、ＵＥ１１５はまた、（例えば、ピアツーピア（Ｐ２Ｐ）又はデバイスツーデバイス（Ｄ２Ｄ）プロトコルを使用して）他のＵＥ１１５と直接通信することが可能であり得る。Ｄ２Ｄ通信を利用するＵＥ１１５のグループのうちの１つ又は複数は、基地局１０５の地理的カバレッジエリア１１０内にあり得る。そのようなグループ中の他のＵＥ１１５は、基地局１０５の地理的カバレッジエリア１１０の外部にあり得るか、又はそうでない場合は基地局１０５からの送信を受信することができない。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で実行される。
【０１１９】
[0127]基地局１０５は、コアネットワーク１３０と、及び互いと通信し得る。例えば、基地局１０５は、バックホールリンク１３２を通して（例えば、Ｓ１又は他のインターフェースを介して）コアネットワーク１３０とインターフェースし得る。基地局１０５は、直接（例えば、基地局１０５間で直接）又は間接的に（例えば、コアネットワーク１３０を介して）のいずれかで、バックホールリンク１３４を通して（例えば、Ｘ２又は他のインターフェースを介して）互いと通信し得る。
【０１２０】
[0128]コアネットワーク１３０は、ユーザ認証、アクセス認可、トラッキング、インターネットプロトコル（ＩＰ）接続性、及び他のアクセス、ルーティング、又はモビリティ機能を提供し得る。コアネットワーク１３０は、発展型パケットコア（ＥＰＣ）であり得、それは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る。ＭＭＥは、ＥＰＣに関連付けられた基地局１０５によってサービングされるＵＥ１１５のためのモビリティ、認証、及びベアラ管理などの非アクセス層（例えば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割り振り並びに他の機能を提供し得る。Ｐ−ＧＷは、ネットワークオペレータＩＰサービスに接続され得る。オペレータＩＰサービスは、インターネット、イントラネット（１つ以上）、ＩＰマルチメディアサブシステム（ＩＭＳ）、又はパケット交換（ＰＳ）ストリーミングサービスへのアクセスを含み得る。
【０１２１】
[0129]基地局１０５など、ネットワークデバイスのうちの少なくともいくつかは、アクセスノードコントローラ（ＡＮＣ）の一例であり得るアクセスネットワークエンティティなどのサブコンポーネントを含み得る。各アクセスネットワークエンティティは、いくつかの他のアクセスネットワーク送信エンティティを通してＵＥ１１５と通信し得、それらは、無線ヘッド、スマート無線ヘッド、又は送信／受信ポイント（ＴＲＰ）と呼ばれ得る。いくつかの構成では、各アクセスネットワークエンティティ又は基地局１０５の様々な機能は、様々なネットワークデバイス（例えば、無線ヘッド及びアクセスネットワークコントローラ）にわたって分散され得るか、又は単一のネットワークデバイス（例えば、基地局１０５）に統合され得る。
【０１２２】
[0130]ワイヤレス通信システム１００は、典型的には３００ＭＨｚ〜３００ＧＨｚの範囲内の１つ又は複数の周波数帯域を使用して動作し得る。一般に、３００ＭＨｚ〜３ＧＨｚの領域は、波長の長さが約１デシメートル〜１メートルの範囲に及ぶので、極超短波（ＵＨＦ：ultra-high frequency）領域又はデシメートル帯域として知られている。ＵＨＦ波は、建物及び環境的特徴によってブロック又はリダイレクトされ得る。しかしながら、波は、マクロセルが屋内にロケートされたＵＥ１１５にサービスを提供するのに十分に構造を貫通し得る。ＵＨＦ波の送信は、３００ＭＨｚ未満のスペクトルの短波（ＨＦ：high frequency）又は超短波（ＶＨＦ：very high frequency）部分のより小さい周波数及びより長い波を使用する送信と比較して、より小さいアンテナ及びより短い範囲（例えば、１００ｋｍ未満）に関連付けられ得る。
【０１２３】
[0131]ワイヤレス通信システム１００はまた、センチメートル帯域としても知られる、３ＧＨｚ〜３０ＧＨｚの周波数帯域を使用する極極超短波（ＳＨＦ：super high frequency）領域中で動作し得る。ＳＨＦ領域は、他のユーザからの干渉に耐えることができるデバイスによって日和見的に使用され得る、５ＧＨｚの産業科学医療（ＩＳＭ：industrial, scientific, and medical）帯域などの帯域を含む。
【０１２４】
[0132]ワイヤレス通信システム１００はまた、ミリメートル帯域としても知られる、スペクトルの極極極超短波（ＥＨＦ：extremely high frequency）領域（例えば、３０ＧＨｚ〜３００ＧＨｚ）中で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナより更に小さく、より密接に離間され得る。いくつかのケースでは、これは、ＵＥ１１５内のアンテナアレイの使用を容易にし得る。しかしながら、ＥＨＦ送信の伝搬は、ＳＨＦ又はＵＨＦ送信より更に大きい大気減衰及びより短い範囲を課され得る。本明細書で開示される技法は、１つ又は複数の異なる周波数領域を使用する送信にわたって用いられ得、これらの周波数領域にわたる帯域の指定された使用は、国又は規制機関によって異なり得る。
【０１２５】
[0133]いくつかのケースでは、ワイヤレス通信システム１００は、ライセンス無線周波数スペクトル帯域とアンライセンス無線周波数スペクトル帯域との両方を利用し得る。例えば、ワイヤレス通信システム１００は、５ＧＨｚ ＩＳＭ帯域などのアンライセンス帯域において、ライセンス支援アクセス（ＬＡＡ）、ＬＴＥ−アンライセンス（ＬＴＥ−Ｕ）無線アクセス技術、又はＮＲ技術を用い得る。アンライセンス無線周波数スペクトル帯域において動作するとき、基地局１０５及びＵＥ１１５などのワイヤレスデバイスは、データを送信する前に周波数チャネルがクリアであることを保証するために、リッスンビフォートーク（ＬＢＴ）プロシージャを用い得る。いくつかのケースでは、アンライセンス帯域における動作は、ライセンス帯域（例えば、ＬＡＡ）において動作するＣＣと併せてＣＡ構成に基づき得る。アンライセンススペクトルにおける動作は、ダウンリンク送信、アップリンク送信、ピアツーピア送信、又はこれらの組み合わせを含み得る。アンライセンススペクトルにおける複信は、周波数分割複信（ＦＤＤ）、時分割複信（ＴＤＤ）、又は両方の組み合わせに基づき得る。
【０１２６】
[0134]いくつかの例では、基地局１０５又はＵＥ１１５は、送信ダイバーシティ、受信ダイバーシティ、多入力多出力（ＭＩＭＯ）通信、又はビームフォーミングなどの技法を用いるために使用され得る複数のアンテナを装備され得る。例えば、ワイヤレス通信システム１００は、送信デバイス（例えば、基地局１０５）と受信デバイス（例えば、ＵＥ１１５）との間の送信方式を使用し得、ここで、送信デバイスは、複数のアンテナを装備され、受信デバイスは、１つ又は複数のアンテナを装備される。ＭＩＭＯ通信は、異なる空間レイヤを介して複数の信号を送信又は受信することによってスペクトル効率を増大させるためにマルチパス信号伝搬を用い得、それは、空間多重化と呼ばれ得る。複数の信号は、例えば、異なるアンテナ又はアンテナの異なる組み合わせを介して送信デバイスによって送信され得る。同様に、複数の信号は、異なるアンテナ又はアンテナの異なる組み合わせを介して受信デバイスによって受信され得る。複数の信号の各々は、別個の空間ストリームと呼ばれ得、同じデータストリーム（例えば、同じコードワード）又は異なるデータストリームに関連付けられたビットを搬送し得る。異なる空間レイヤは、チャネル測定及び報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【０１２７】
[0135]空間フィルタリング、指向性送信、又は指向性受信とも呼ばれ得るビームフォーミングは、送信デバイスと受信デバイスとの間の空間経路に沿ってアンテナビーム（例えば、送信ビーム又は受信ビーム）を形成又はステアリングするために、送信デバイス又は受信デバイス（例えば、基地局１０５又はＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、デバイスに関連付けられたアンテナ素子の各々を介して搬送される信号にある特定の振幅及び位相オフセットを適用する送信デバイス又は受信デバイスを含み得る。アンテナ素子の各々に関連付けられた調整は、（例えば、送信デバイス若しくは受信デバイスのアンテナアレイに対して、又は何らかの他の向きに対して）特定の向きに関連付けられたビームフォーミング重みセットによって定義され得る。
【０１２８】
[0136]一例では、基地局１０５は、ＵＥ１１５との指向性通信のためのビームフォーミング動作を行うために、複数のアンテナ又はアンテナアレイを使用し得る。例えば、いくつかの信号（例えば、同期信号、基準信号、ビーム選択信号、又は他の制御信号）は、異なる方向に複数回基地局１０５によって送信され得、それは、異なる送信方向に関連付けられた異なるビームフォーミング重みセットに従って送信される信号を含み得る。異なるビーム方向への送信は、基地局１０５による後続の送信及び／又は受信のためのビーム方向を（例えば、基地局１０５又はＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つ又は複数を受信し得、ＵＥ１１５は、最高の信号品質又はそうでない場合は許容可能な信号品質で受信した信号のインジケーションを基地局１０５に報告し得る。これらの技法は、基地局１０５によって１つ又は複数の方向に送信される信号に関して説明されるが、ＵＥ１１５は、（例えば、ＵＥ１１５による後続の送信又は受信のためのビーム方向を識別するために）異なる方向に複数回信号を送信するため、又は（例えば、受信デバイスにデータを送信するために）単一の方向に信号を送信するための同様の技法を用い得る。
【０１２９】
[0137]受信デバイス（例えば、ｍｍＷ受信デバイスの一例であり得るＵＥ１１５）は、同期信号、基準信号、ビーム選択信号、又は他の制御信号など、基地局１０５から様々な信号を受信するとき、複数の受信ビームを試行し得る。例えば、受信デバイスは、異なるアンテナサブアレイを介して受信することによって、異なるアンテナサブアレイに従って受信信号を処理することによって、アンテナアレイの複数のアンテナ素子において受信された信号に適用された異なる受信ビームフォーミング重みセットに従って受信することによって、又はアンテナアレイの複数のアンテナ素子において受信された信号に適用された異なる受信ビームフォーミング重みセットに従って受信信号を処理することによって、複数の受信方向を試行し得、それらのうちのいずれも、異なる受信ビーム又は受信方向に従って「リッスンする」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、又はそうでない場合は許容可能な信号品質を有すると決定されたビーム方向）に揃えられ得る。
【０１３０】
[0138]いくつかのケースでは、基地局１０５又はＵＥ１１５のアンテナは、ＭＩＭＯ動作をサポートし得るか、又はビームフォーミングを送信若しくは受信し得る、１つ又は複数のアンテナアレイ内にロケートされ得る。例えば、１つ又は複数の基地局アンテナ又はアンテナアレイは、アンテナタワーなどのアンテナアセンブリにコロケートされ得る。いくつかのケースでは、基地局１０５に関連付けられたアンテナ又はアンテナアレイは、多様な地理的ロケーション中にロケートされ得る。基地局１０５は、基地局１０５がＵＥ１１５との通信のビームフォーミングをサポートするために使用し得るアンテナポートのいくつかの行及び列を有するアンテナアレイを有し得る。同様に、ＵＥ１１５は、様々なＭＩＭＯ又はビームフォーミング動作をサポートし得る１つ又は複数のアンテナアレイを有し得る。
【０１３１】
[0139]いくつかのケースでは、ワイヤレス通信システム１００は、階層化プロトコルスタックに従って動作するパケットベースのネットワークであり得る。ユーザプレーンでは、ベアラ又はパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネルを通して通信するために、パケットのセグメント化及びリアセンブリを実行し得る。媒体アクセス制御（ＭＡＣ）レイヤは、優先度処理（priority handling）及び論理チャネルのトランスポートチャネルへの多重化を実行し得る。ＭＡＣレイヤはまた、ハイブリッド自動再送要求（ＨＡＲＱ）を使用し、ＭＡＣレイヤにおいて再送信を提供して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５又はコアネットワーク１３０との間のＲＲＣ接続の確立、構成、及び維持を提供し得る。物理（ＰＨＹ）レイヤにおいて、トランスポートチャネルは、物理チャネルにマッピングされ得る。
【０１３２】
[0140]いくつかのケースでは、ＵＥ１１５及び基地局１０５は、データが成功裏に受信される可能性を増大させるために、データの再送信をサポートし得る。ＨＡＲＱフィードバックは、データが通信リンク１２５を通して正しく受信される可能性を増大させる１つの技法である。ＨＡＲＱは、誤り検出（例えば、巡回冗長検査（ＣＲＣ）を使用する）、順方向誤り訂正（ＦＥＣ）、及び再送信（例えば、自動再送要求（ＡＲＱ））の組み合わせを含み得る。ＨＡＲＱは、貧弱な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロット中の前のシンボル中で受信されたデータのために、そのスロット中でＨＡＲＱフィードバックを提供し得る。他のケースでは、デバイスは、後続のスロット中で、又は何らかの他の時間間隔に従って、ＨＡＲＱフィードバックを提供し得る。
【０１３３】
[0141]ＬＴＥ又はＮＲにおける時間間隔は、基本時間単位の倍数で表され得、それは、例えば、Ｔs＝１／３０，７２０，０００秒のサンプリング期間を指し得る。通信リソースの時間間隔は、各々が１０ミリ秒（ｍｓ）の持続時間を有する無線フレームに従って編成され得、ここで、フレーム期間は、Ｔf＝３０７，２００Ｔsとして表され得る。無線フレームは、０〜１０２３の範囲のシステムフレーム番号（ＳＦＮ）によって識別され得る。各フレームは、０〜９の番号付けされた１０個のサブフレームを含み得、各サブフレームは、１ｍｓの持続時間を有し得る。サブフレームは、各々が０．５ｍｓの持続時間を有する２つのスロットに更に分割され得、各スロットは、（例えば、各シンボル期間にプリペンドされたサイクリックプレフィックスの長さに応じて）６又は７つの変調シンボル期間を包含し得る。サイクリックプレフィックスを除いて、各シンボル期間は、２０４８個のサンプリング期間を包含し得る。いくつかのケースでは、サブフレームは、ワイヤレス通信システム１００の最小スケジューリング単位であり得、送信時間間隔（ＴＴＩ）と呼ばれ得る。他のケースでは、ワイヤレス通信システム１００の最小スケジューリング単位は、サブフレームより短くあり得るか、又は（例えば、短縮ＴＴＩ（ｓＴＴＩ）のバーストにおいて、又はｓＴＴＩを使用する選択されたコンポーネントキャリアにおいて）動的に選択され得る。
【０１３４】
[0142]いくつかのワイヤレス通信システムでは、スロットは、１つ又は複数のシンボルを包含する複数のミニスロットに更に分割され得る。いくつかの事例では、ミニスロットのシンボル又はミニスロットは、スケジューリングの最小単位であり得る。各シンボルは、例えば、動作のサブキャリア間隔又は周波数帯域に応じて持続時間が異なり得る。更に、いくつかのワイヤレス通信システムは、複数のスロット又はミニスロットが共に集約され、ＵＥ１１５と基地局１０５との間の通信のために使用されるスロットアグリゲーションをインプリメントし得る。
【０１３５】
[0143]「キャリア」という用語は、通信リンク１２５を通した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、又は他のシグナリングを搬送し得る。キャリアは、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って位置付けられ得る。キャリアは、（例えば、ＦＤＤモードでは）ダウンリンク若しくはアップリンクであり得るか、又は（例えば、ＴＤＤモードでは）ダウンリンク及びアップリンク通信を搬送するように構成され得る。いくつかの例では、キャリアを通して送信される信号波形は、（例えば、ＯＦＤＭ又はＤＦＴ−ｓ−ＯＦＤＭなどのマルチキャリア変調（ＭＣＭ）技法を使用して）複数のサブキャリアから構成され得る。
【０１３６】
[0144]キャリアの編成構造は、無線アクセス技術（例えば、ＬＴＥ、ＬＴＥ−Ａ、ＬＴＥ−Ａプロ、ＮＲ、等）によって異なり得る。例えば、キャリアを通した通信は、ＴＴＩ又はスロットに従って編成され得、それらの各々は、ユーザデータ並びにユーザデータの復号をサポートするための制御情報又はシグナリングを含み得る。キャリアはまた、専用獲得シグナリング（例えば、同期信号又はシステム情報、等）と、キャリアのための動作を調整する制御シグナリングとを含み得る。いくつかの例では（例えば、キャリアアグリゲーション構成では）、キャリアはまた、他のキャリアのための動作を調整する獲得シグナリング又は制御シグナリングを有し得る。
【０１３７】
[0145]物理チャネルは、様々な技法に従ってキャリア上で多重化され得る。物理制御チャネル及び物理データチャネルは、例えば、時分割多重化（ＴＤＭ）技法、周波数分割多重化（ＦＤＭ）技法、又はハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間（例えば、共通制御領域又は共通探索空間と１つ又は複数のＵＥ固有制御領域又はＵＥ固有探索空間との間）に分散され得る。
【０１３８】
[0146]キャリアは、無線周波数スペクトルの特定の帯域幅に関連付けられ得、いくつかの例では、キャリア帯域幅は、キャリア又はワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、又は８０ＭＨｚ）のうちの１つであり得る。いくつかの例では、各サービングされるＵＥ１１５は、キャリア帯域幅の一部分又は全てを通して動作するように構成され得る。他の例では、いくつかのＵＥ１１５は、キャリア内の予め定義された部分又は範囲（例えば、サブキャリア又はＲＢのセット）に関連付けられたナローバンドプロトコルタイプを使用する動作（例えば、ナローバンドプロトコルタイプの「インバンド」展開）のために構成され得る。
【０１３９】
[0147]ＭＣＭ技法を用いるシステムでは、リソース要素は、１つのシンボル期間（例えば、１つの変調シンボルの持続時間）と１つのサブキャリアとから成り得、ここで、シンボル期間とサブキャリア間隔とは反比例する。各リソース要素によって搬送されるビットの数は、変調方式（例えば、変調方式の次数）に依存し得る。このことから、ＵＥ１１５が受信するリソース要素が多いほど、及び変調方式の次数が高いほど、ＵＥ１１５のデータレートは高くなり得る。ＭＩＭＯシステムでは、ワイヤレス通信リソースは、無線周波数スペクトルリソースと、時間リソースと、空間リソース（例えば、空間レイヤ）との組み合わせを指し得、複数の空間レイヤの使用は、ＵＥ１１５との通信のためのデータレートを更に増大させ得る。
【０１４０】
[0148]ワイヤレス通信システム１００のデバイス（例えば、基地局１０５又はＵＥ１１５）は、特定のキャリア帯域幅を通した通信をサポートするハードウェア構成を有し得るか、又はキャリア帯域幅のセットのうちの１つを通した通信をサポートするように構成可能であり得る。いくつかの例では、ワイヤレス通信システム１００は、１つより多くの異なるキャリア帯域幅に関連付けられたキャリアを介した同時通信をサポートすることができる基地局１０５及び／又はＵＥを含み得る。
【０１４１】
[0149]ワイヤレス通信システム１００は、複数のセル又はキャリア上でのＵＥ１１５との通信、キャリアアグリゲーション（ＣＡ）又はマルチキャリア動作と呼ばれ得る特徴をサポートし得る。ＵＥ１１５は、キャリアアグリゲーション構成に従って、複数のダウンリンクＣＣ及び１つ又は複数のアップリンクＣＣで構成され得る。キャリアアグリゲーションは、ＦＤＤコンポーネントキャリアとＴＤＤコンポーネントキャリアとの両方で使用され得る。
【０１４２】
[0150]いくつかのケースでは、ワイヤレス通信システム１００は、拡張コンポーネントキャリア（ｅＣＣ）を利用し得る。ｅＣＣは、より広いキャリア又は周波数チャネル帯域幅、より短いシンボル持続時間、より短いＴＴＩ持続時間、又は修正された制御チャネル構成を含む、１つ又は複数の特徴によって特徴付けられ得る。いくつかのケースでは、ｅＣＣは、（例えば、複数のサービングセルが準最適の又は理想的でないバックホールリンクを有するとき）デュアルコネクティビティ構成又はキャリアアグリゲーション構成に関連付けられ得る。ｅＣＣはまた、（例えば、１つより多くのオペレータがスペクトルを使用することを許可される）アンライセンススペクトル又は共有スペクトルにおける使用のために構成され得る。広いキャリア帯域幅によって特徴付けられるｅＣＣは、キャリア帯域幅全体を監視することが可能でないか、又は（例えば、電力を節約するために）制限されたキャリア帯域幅を使用するように別様に構成されたＵＥ１１５によって利用され得る１つ又は複数のセグメントを含み得る。
【０１４３】
[0151]いくつかのケースでは、ｅＣＣは、他のＣＣとは異なるシンボル持続時間を利用し得、それは、他のＣＣのシンボル持続時間と比較して、低減されたシンボル持続時間の使用を含み得る。より短いシンボル持続時間は、隣接するサブキャリア間の増大した間隔に関連付けられ得る。ｅＣＣを利用するＵＥ１１５又は基地局１０５などのデバイスは、低減されたシンボル持続時間（例えば、１６．６７マイクロ秒）で（例えば、２０、４０、６０、８０ＭＨｚ、等の周波数チャネル又はキャリア帯域幅に従って）ワイドバンド信号を送信し得る。ｅＣＣにおけるＴＴＩは、１つ又は複数のシンボル期間から成り得る。いくつかのケースでは、ＴＴＩ持続時間（即ち、ＴＴＩ中のシンボル期間の数）は、可変であり得る。
【０１４４】
[0152]ＮＲシステムなどのワイヤレス通信システムは、とりわけ、ライセンススペクトル帯域、共有スペクトル帯域、及びアンライセンススペクトル帯域の任意の組み合わせを利用し得る。ｅＣＣシンボル持続時間及びサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）及び水平（例えば、時間にわたる）共有を特に通じて、スペクトル利用及びスペクトル効率を増大させ得る。
【０１４５】
[0153]基地局１０５のうちの１つ又は複数は、ＵＥ１１５に関連付けられたトリガリングイベントが発生したと決定し得る。基地局（１つ以上）１０５は、決定することに少なくとも部分的に基づいて、非周期的ＴＲＳの送信のために使用されるべきリソースを識別するトリガ信号を送信し得る。基地局（１つ以上）１０５は、トリガ信号及び識別されたリソースに少なくとも部分的に基づいて非周期的ＴＲＳを送信し得る。
【０１４６】
[0154]基地局１０５のうちの１つ又は複数は、ＵＥ１１５に構成信号を送信し得、構成信号は、非周期的ＴＲＳの送信のための送信タイミングパラメータを識別する。基地局（１つ以上）１０５は、ＵＥ１１５に関連付けられたトリガリングイベントが発生したと決定し得る。基地局（１つ以上）１０５は、決定することに少なくとも部分的に基づいて、及び送信タイミングパラメータに従って、ＵＥ１１５に非周期的ＴＲＳを送信し得る。
【０１４７】
[0155]ＵＥ１１５のうちの１つ又は複数は、ＵＥ１１５に関連付けられたトリガリングイベントが発生したと決定し得る。ＵＥ（１つ以上）１１５は、決定することに少なくとも部分的に基づいて、非周期的ＴＲＳの送信のために使用されるべきリソースを識別するトリガ信号を受信し得る。ＵＥ（１つ以上）１１５は、トリガ信号及び識別されたリソースに少なくとも部分的に基づいて非周期的ＴＲＳを受信し得る。
【０１４８】
[0156]ＵＥ１１５のうちの１つ又は複数は、非周期的ＴＲＳの送信のための送信タイミングパラメータを識別する構成信号を受信し得る。ＵＥ（１つ以上）１１５は、ＵＥ１１５に関連付けられたトリガリングイベントが発生したと決定し得る。ＵＥ（１つ以上）１１５は、決定することに少なくとも部分的に基づいて、及び送信タイミングパラメータに従って、非周期的ＴＲＳを受信し得る。
【０１４９】
[0157]ＵＥ１１５のうちの１つ又は複数は、ＵＥ１１５に関連付けられたトリガリングイベントの発生に少なくとも部分的に基づいて、非周期的ＴＲＳの送信のために使用されるべきリソースを識別するトリガ信号を受信し得る。ＵＥ（１つ以上）１１５は、トリガ信号及び識別されたリソースに少なくとも部分的に基づいて非周期的ＴＲＳを受信し得る。ＵＥ（１つ以上）１１５は、トリガリングイベントの発生に応答して、及び非周期的ＴＲＳに少なくとも部分的に基づいて、トラッキング機能、又は同期機能、又はアラインメント機能、又はそれらの組み合わせのうちの少なくとも１つを実行し得る。
【０１５０】
[0158]ＵＥ１１５のうちの１つ又は複数は、非周期的ＴＲＳの送信のための１つ又は複数のリソースを識別する構成信号を受信し得る。ＵＥ（１つ以上）１１５は、ＵＥ１１５に関連付けられたトリガリングイベントが発生したと決定し得る。ＵＥ（１つ以上）１１５は、決定することに少なくとも部分的に基づいて、及び１つ又は複数のリソースに従って、非周期的ＴＲＳを受信し得る。
【０１５１】
[0159]図２は、本開示の様々な態様による、非周期的ＴＲＳをサポートするプロセス２００の一例を例示する。いくつかの例では、プロセス２００は、ワイヤレス通信システム１００の態様をインプリメントし得る。プロセス２００は、基地局２０５及びＵＥ２１０を含み得、それらは、本明細書で説明される対応するデバイスの例であり得る。概して、プロセス２００は、トリガベースの非周期的ＴＲＳ送信方式の一例を例示する。
【０１５２】
[0160]２１５において、基地局２０５は、ＵＥ２１０についてトリガリングイベントが発生したと決定し得る。いくつかの態様では、トリガリングイベントは、セカンダリセル（ＳＣｅｌｌ）のアクティブ化又は非アクティブ化、現在の帯域幅部分（ＢＷＰ）における変更、現在のアクティブビーム（例えば、ＰＤＳＣＨビーム）における変更、ＤＲＸモードに関連付けられた変更、及び同様のものに基づき得る。基地局２０５は、例えば、基地局２０５がトリガリングイベントを開始することに基づいて内部で、又はＵＥ２１０若しくは何らかの他のエンティティから受信された信号に基づいて、例えば、ＵＥ２１０がトリガリングイベントを開始する信号を送信することに基づいて外部で、トリガリングイベントが発生したと決定し得る。いくつかの態様では、ＵＥ２１０がＤＲＸモードで動作しているときなど、基地局２０５は、ＵＥ２１０がＤＲＸモードのオン期間にあることになるとき、及び同様のときに基づいて、例えば、ページング機会中に、ＤＲＸモードに関連付けられたスケジュールに従ってトリガリングイベントを決定又は別様に検出し得る。
【０１５３】
[0161]２２０において、ＵＥ２１０は、ＵＥ２１０についてトリガリングイベントが発生したと決定し得る。いくつかの態様では、ＵＥ２１０は、例えば、ＵＥ２１０がトリガリングイベントを開始したことに基づいて内部で、又は基地局２０５若しくは何らかの他のエンティティから受信された信号に基づいて外部で、トリガリングイベントが発生したと決定し得る。いくつかの態様では、ＵＥ２１０がＤＲＸモードで動作しているときなど、ＵＥ２１０は、ＤＲＸモードに関連付けられたスケジュールに従ってトリガリングイベントを決定又は別様に検出し得る。
【０１５４】
[0162]いくつかの態様では、１つ又は複数のＳＳＢ送信が、トリガリングイベントより前に発生しているかもしれない。例えば、基地局２０５は、そのカバレッジエリア内で動作するＵＥのためのブロードキャスト送信においてＳＳＢを送信し得る。ＳＳＢ送信は、トリガリングイベントに関連付けられた情報の少なくとも一部分のインジケーションを識別又は別様に提供し得、例えば、ＳＳＢは、アクティブビームにおける変更、ＢＷＰにおける変更、及び同様のものを示し得る。いくつかの態様では、ＳＳＢ信号の送信は、ある時点でトリガリングイベントが発生したか、又は発生することになるというインジケーションを提供し得る。このことから、基地局２０５及び／又はＵＥ２１０は、トリガリングイベントが発生したことを検出又は別様に決定するために、少なくともある程度、ＳＳＢ送信を使用し得る。
【０１５５】
[0163]２２５において、基地局２０５は、トリガ信号を送信し得る（及びＵＥ２１０は受信し得る）。いくつかの態様では、トリガ信号は、非周期的ＴＲＳの送信のために使用されるべきリソースのうちのいくつか又は全てを識別し得る。識別又は別様に示されたリソースは、時間及び／又は周波数リソースを含み得る。トリガ信号は、明示的に（例えば、１つ又は複数のビット又はフィールドを使用して）及び／又は暗示的に（例えば、ＵＥ２１０のためのトリガとしての役割を果たす、トリガ信号中で示される何らかの他のイベントに基づいて）のいずれかでリソースを識別又は別様に示し得る。
【０１５６】
[0164]いくつかの態様では、トリガ信号は、ＤＣＩ中で送信又はＤＣＩによって別様に示され得る。例えば、ＤＣＩは、非周期的ＴＲＳがトリガされたことを明示的に示すビット又はフィールド、例えば、非周期的ＴＲＳに関連付けられた送信タイミングパラメータを含み得る。別の例では、ＤＣＩは、トリガリングイベントを識別又は別様に示すビット又はフィールドを含み得る。その例では、トリガリングイベントのインジケーションは、非周期的ＴＲＳがトリガされたというインジケーションとしての役割を果たし得る。一例として、ＤＣＩの機能（例えば、ＢＷＰ切り替えＤＣＩ）は、非周期的ＴＲＳ送信のためのトリガとしての役割を果たし得る。いくつかの態様では、ＤＣＩは、フォールバックＤＣＩ（ＤＣＩフォーマット０＿０及び／又は１＿０）又は非フォールバックＤＣＩ（ＤＣＩフォーマット０＿１及び／又は１＿１）であり得る。ＤＣＩは、非周期的ＴＲＳが送信されるのと同じスロット又は異なるスロット中で送信され得る。
【０１５７】
[0165]いくつかの態様では、ＤＣＩは、ダウンリンクＤＣＩであり得る。例えば、非周期的ＴＲＳ送信のために使用されるべきリソースは、ダウンリンクＤＣＩのダウンリンク許可フィールド中で示され得る。別の例として、ダウンリンクＤＣＩは、ダウンリンク許可フィールド中にダミー許可（dummy grant）又は無効許可（例えば、ゼロ許可）を含み、その後、別の（例えば、異なる）フィールドを使用して、非周期的ＴＲＳがトリガされたというインジケーション、及び／又は非周期的ＴＲＳ送信のために使用されるべきリソースのインジケーションを提供し得る。このことから、本開示の態様は、ダミーダウンリンク許可（又は無効ダウンリンク許可又はゼロダウンリンク許可）を使用して、非周期的ＴＲＳのインジケーションを提供するように、異なる機能のために典型的に使用される既存のフィールドを再目的化（re-purpose）し得る。加えて、このダウンリンクＤＣＩはまた、ＳＣｅｌｌアクティブ化／非アクティブ化、ＢＷＰ切り替え、ビーム切り替え、及び同様のものなどのトリガリングイベントのインジケーションを提供し得る。ダミーダウンリンク許可の例は、０ＲＢ（全てゼロ）を有するリソース割り振りタイプ０、周波数ドメインリソース割り振りフィールド中に全て１が使用されるリソース割り振りタイプ１、及び同様のものを含み得る。このことから、基地局２０５は、ゼロ許可又は無効許可を示すようにダウンリンクＤＣＩのダウンリンク許可フィールドの１つ又は複数のビットを構成し、その後、非周期的ＴＲＳがトリガされたことを示すように第２のフィールドのビットを構成し得る。第２のフィールド中で構成されたビットは、トリガリングイベントが発生したことを示し得、トリガリングイベントが発生したというインジケーションは、非周期的ＴＲＳ送信がトリガされたというインジケーションを提供し得る。基地局２０５及び／又はＵＥ２１０は、トリガリングイベントが発生したときはいつでも非周期的ＴＲＳ送信がトリガされることを知り得る。
【０１５８】
[0166]いくつかの態様では、ＤＣＩは、アップリンクＤＣＩであり得る。アップリンクＤＣＩは、ＣＳＩ−ＲＳトリガリングを拡張し得、例えば、非周期的ＴＲＳトリガインジケーションは、非周期的ＣＳＩ−ＲＳトリガのインジケーションとは別個であり得る。それ故に、アップリンクＤＣＩは、ＣＳＩ−ＲＳトリガと組み合わせて、又はＣＳＩ−ＲＳトリガとは別個に、非周期的ＴＲＳがトリガされたというインジケーションを提供する（例えば、非周期的ＴＲＳ送信のために使用されるべきリソースを識別又は別様に示す）ように構成され得る。
【０１５９】
[0167]別の例では、トリガ信号は、ＭＡＣ ＣＥ中で送信され得る。例えば、ＭＡＣ ＣＥは、トリガリングイベントが発生したというインジケーション、例えば、ＳＣｅｌｌがアクティブ化若しくは非アクティブ化された、又はビーム（例えば、ＰＤＳＣＨビーム）が変更されたというインジケーション、及び同様のものを提供するように構成され得る。いくつかの態様では、ＭＡＣ ＣＥの送信は、非周期的ＴＲＳのための送信タイミングを暗示的にシグナリングし得る。例えば、非周期的ＴＲＳは、ＭＡＣ ＣＥが送信されてからある特定の時間後に、例えば、ＭＡＣ ＣＥが送信されてから、定義された数のシンボルなどの定義された待機期間、又は固定時間期間、及び同様のものの後に送信され得る。このことから、トリガリングイベントのためのＭＡＣ ＣＥコマンドが非周期的ＴＲＳ送信もトリガし得るジョイントＭＡＣ ＣＥベースのトリガリングが使用され得る。ＭＡＣ ＣＥコマンドと非周期的ＴＲＳ送信との間のオフセット又は定義された待機期間は、基地局２０５とＵＥ２１０との間で構成及び／又はハードコーディングされ得る。
【０１６０】
[0168]２３０において、基地局２０５は、非周期的ＴＲＳを送信し得る（及びＵＥ２１０は受信し得る）。非周期的ＴＲＳは、少なくともいくつかの態様では、トリガ信号と、識別又は別様に示されたリソースとに基づいて送信され得る。例えば、非周期的ＴＲＳは、トリガ信号中で識別又は別様に示されるように、送信タイミングパラメータに従って、定義された待機期間に従って、等で送信され得る。ＵＥ２１０及び基地局２０５は、様々なトラッキング／同期／アライメント機能のために非周期的ＴＲＳを使用し得る。
【０１６１】
[0169]このことから、トリガリングイベントの一例は、ＳＣｅｌｌがアクティブ化／非アクティブ化されることであり得る。いくつかの態様では、非周期的ＴＲＳ送信は、ＳＣｅｌｌをアクティブ化するためのＭＡＣ ＣＥコマンドに結び付けられ得る。ＭＡＣ ＣＥコマンドに関するタイムラインは、ハードコーディングされ得る。いくつかの態様では、トリガ信号は、ＤＣＩ中で送られ得（例えば、ＤＣＩトリガ非周期的ＴＲＳ）、ここで、ＳＣｅｌｌは、ＳＣｅｌｌのＲＲＣ構成の前に検出される。非周期的ＴＲＳのＤＣＩベースのトリガは、非周期的ＴＲＳがＳＳＢトラッキングに基づいて復号されることを含み得る。例えば、非アクティブ化されたＳＣｅｌｌ ＳＳＢは、周期的に監視され得る。ＳＳＢレスキャリア（SSB-less carrier）の場合、ＣＳＩ−ＲＳベースのトラッキングも使用され得る。いくつかの態様では、トリガ信号のインジケーションは、ＵＥ２１０と基地局２０５との間のワイヤレス通信のために使用されている現在アクティブなセル（１つ以上）（例えば、ＵＥ２１０とアクティブである１つのプライマリセル又は１つ又は複数のセカンダリセル）のうちの１つ又は複数を通してＵＥ２１０に送信又は別様に示され得る。トリガ信号は、ＵＥ２１０のためにアクティブ化されている新しいＳＣｅｌｌのためのものであるリソース、例えば、アクティブ化されたＳＣｅｌｌに対応する時間／周波数リソースのインジケーションを搬送又は別様に伝達し得る。その後、非周期的ＴＲＳは、アクティブ化されたＳＣｅｌｌリソースを通して（例えば、ＳＣｅｌｌから）送信され得、それらをその後、ＵＥ２１０は、新たにアクティブ化されたＳＣｅｌｌに関するトラッキング／同期／アライメント機能のために利用し得る。
【０１６２】
[0170]トリガリングイベントの別の例は、ＢＷＰ切り替えであり得る。ＤＣＩトリガ非周期的ＴＲＳの例では、非周期的ＴＲＳをトリガするＤＣＩは、ＳＳＢトラッキングに基づいて復号され得る。ＳＳＢは、ＢＷＰ切り替えに関係なく周期的に監視され得る。ＢＷＰ切り替えがＤＣＩに基づくとき、ＢＷＰ切り替えＤＣＩはまた、非周期的ＴＲＳをトリガし得る。ＤＣＩに関するタイムラインは、ＤＣＩ又はＲＲＣシグナリングを介して構成されることができる。ダウンリンクＢＷＰ切り替えＤＣＩでは、いくつかの態様は、ダウンリンクＢＷＰ切り替えＤＣＩのダミーダウンリンク許可（ゼロ許可又は無効許可など）で既存のフィールドを再目的化し得るか、又はダウンリンクＢＷＰ ＤＣＩは、非周期的ＴＲＳを常にトリガし得る。（ダウンリンクＢＷＰ切り替えを伴う）アップリンクＢＷＰ切り替えＤＣＩでは、アップリンクＢＷＰ ＤＣＩはまた、非周期的ＴＲＳをトリガし得る。いくつかの態様では、トリガ信号のインジケーションは、ＵＥ２１０と基地局２０５との間のワイヤレス通信のために使用されている現在アクティブなＢＷＰ（１つ以上）のうちの１つ又は複数を通してＵＥ２１０に送信又は別様に示され得る。トリガ信号は、ＵＥ２１０のためにアクティブ化されている新しいＢＷＰのためのものであるリソース、例えば、アクティブ化されたＢＷＰに対応する時間／周波数リソースのインジケーションを搬送又は別様に伝達し得る。その後、非周期的ＴＲＳは、アクティブ化されたＢＷＰリソースを通して送信され得、それらをその後、ＵＥ２１０は、新たにアクティブ化されたＢＷＰに関するトラッキング／同期／アライメント機能のために利用し得る。
【０１６３】
[0171]トリガリングイベントの別の例は、ビーム切り替えイベントであり得る。いくつかの態様では、非周期的ＴＲＳは、ＰＤＳＣＨビーム変更後にトリガされ得る。ＰＤＳＣＨビーム変更の場合、非周期的ＴＲＳをトリガするＤＣＩを復号することに関して懸念はないことがある。いくつかの態様では、非周期的ＴＲＳ送信のトリガリングは、ＰＤＳＣＨビーム変更を示すＤＣＩに結び付けられ得る。ＰＤＳＣＨビーム変更及び非周期的ＴＲＳ送信を示すＤＣＩに関するタイムラインは、例えば、ＤＣＩ又はＲＲＣを介して構成可能であり得る。いくつかの態様では、トリガ信号のインジケーションは、ＵＥ２１０と基地局２０５との間のワイヤレス通信のために使用されている現在アクティブなビーム（１つ以上）のうちの１つ又は複数を通してＵＥ２１０に送信又は別様に示され得る。トリガ信号は、ＵＥ２１０のためにアクティブ化されている新しいビームのためのものであるリソース、例えば、アクティブ化されたビームに対応する時間／周波数リソースのインジケーションを搬送又は別様に伝達し得る。その後、非周期的ＴＲＳは、アクティブ化されたビームリソースを通して送信され得、それらをその後、ＵＥ２１０は、新たにアクティブ化されたビームに関するトラッキング／同期／アライメント機能のために利用し得る。
【０１６４】
[0172]トリガリングイベントの別の例は、ＵＥ２１０が接続ＤＲＸモードで動作することに基づき得る。いくつかの態様では、非周期的ＴＲＳを構成するために、ＵＥ固有ＲＲＣシグナリングが使用され得る。これは、接続ＤＲＸオン持続時間の前に非周期的ＴＲＳ送信をサポートし得る。非周期的ＴＲＳと接続ＤＲＸオン持続時間との間のオフセットは、ＵＥ固有に構成され得る。ＵＥ２１０は、ＵＥ２１０が通信のためにスケジュールされることが予想されるとき、非周期的ＴＲＳが接続ＤＲＸオン持続時間の前に送信されると仮定し得る。ＤＣＩトリガ非周期的ＴＲＳのいくつかの態様では、ＵＥ２１０は、ＤＣＩトリガ非周期的ＴＲＳを介して、接続ＤＲＸオン持続時間中に非周期的ＴＲＳをサポートし得る。ＵＥ２１０は、非周期的ＴＲＳをトリガするＤＣＩを復号することが可能であるように、少なくともある程度、トラッキングを維持し得る。いくつかの態様では、接続ＤＲＸオン持続時間の前の周期的ＴＲＳインスタンスは、トラッキング基準として使用され得る。接続ＤＲＸオフ状態中に発生する他の周期的ＴＲＳ機会は、送信されないことがある。
【０１６５】
[0173]トリガリングイベントの別の例は、ＵＥ２１０がアイドルモードＤＲＸで動作することに基づき得る。本開示の態様は、アイドルモードＤＲＸページング機会の前又はその間に非周期的ＴＲＳ送信をサポートし得る。非周期的ＴＲＳがアイドルモードＤＲＸページング機会中に送信される場合、非周期的ＴＲＳのオフライン処理が仮定され得る。ＵＥ２１０は、例えば、ＵＥ２１０がページングされることが予想されるとき、アイドルモードＤＲＸページング機会の前又はその間に非周期的ＴＲＳが送信されると仮定し得る。非周期的ＴＲＳトリガの態様は、ＲＲＣシグナリングを介して、例えば、セル固有に構成され得る。
【０１６６】
[0174]図３は、本開示の様々な態様による、非周期的ＴＲＳをサポートするプロセス３００の一例を例示する。いくつかの例では、プロセス３００は、ワイヤレス通信システム１００及び／又はプロセス２００の態様をインプリメントし得る。プロセス３００は、基地局３０５及びＵＥ３１０を含み得、それらは、本明細書で説明される対応するデバイスの例であり得る。概して、プロセス３００は、事前構成ベースの非周期的ＴＲＳ送信の一例を例示する。
【０１６７】
[0175]３１５において、基地局３０５は、構成信号を送信し得る（及びＵＥ３１０は受信し得る）。構成信号は、非周期的ＴＲＳの送信のために使用され得る１つ又は複数のリソースのインジケーションを識別又は別様に提供し得る。広義には、識別又は別様に示されたリソースは、時間及び／又は周波数リソースであり得る。一例では、構成信号は、非周期的ＴＲＳ送信のために使用され得るリソースのうちのいくつか又は全てとして送信タイミングパラメータを識別又は別様に示し得る。いくつかの態様では、構成信号は、セル固有及び／又はＵＥ固有ＲＲＣ信号などのＲＲＣ信号であり得る。構成信号は、例えば、初期セル獲得中に１回送信され得る、及び／又は、例えば、再構成プロシージャ中に複数回送信され得る。
【０１６８】
[0176]いくつかの態様では、送信タイミングパラメータは、非周期的ＴＲＳの送信のための相対タイミングパラメータ及び／又は絶対タイミングパラメータであり得る。一例として、送信タイミングパラメータは、トリガリングイベントが発生した後の非周期的ＴＲＳの送信のための相対タイミングパラメータであり得る。例えば、送信タイミングパラメータは、トリガリングイベントが発生した後に基地局３０５が非周期的ＴＲＳ送信を送信する、定義された数のシンボル、定義された時間持続時間、及び同様のものであり得る。
【０１６９】
[0177]いくつかの態様では、構成信号は、半静的に構成された非周期的ＴＲＳを提供し得る。非周期的ＴＲＳ送信タイミングは、トリガリングイベント（ＤＲＸサイクルにおける周期的トリガリングイベントなど）に関して（例えば、ＵＥ固有ＲＲＣ信号中で）構成され得る。非周期的ＴＲＳは、アイドルモードＤＲＸページング機会の前、接続モードＤＲＸオン持続時間の前、及び同様のときにトリガされ得る。アイドルモードＤＲＸページング機会及び／又は接続モードＤＲＸオン持続時間における非周期的ＴＲＳ間のオフセットは、（例えば、ある特定の範囲内で）構成可能であり得る。非周期的ＴＲＳは、ＵＥがページングされるとき、及び／又はＵＥがそのサイクルでスケジュールされるときに送信され得、例えば、ＤＲＸサイクル毎などの周期的イベントで常に送信されるとは限らないことがある。このことから、非周期的ＴＲＳは、ＵＥのためのウェイクアップ信号としての役割を果たし得る。
【０１７０】
[0178]３２０において、基地局３０５は、ＵＥ３１０についてトリガリングイベントが発生したと決定し得る。いくつかの態様では、トリガリングイベントは、ＳＣｅｌｌのアクティブ化又は非アクティブ化、現在のＢＷＰにおける変更、現在のアクティブビーム（例えば、ＰＤＳＣＨビーム）における変更、ＤＲＸモードに関連付けられた変更、及び同様のものに基づき得る。基地局３０５は、例えば、基地局３０５がトリガリングイベントを開始することに基づいて内部で、又はＵＥ３１０若しくは何らかの他のエンティティから受信された信号に基づいて、例えば、ＵＥ３１０がトリガリングイベントを開始する信号を送信することに基づいて外部で、トリガリングイベントが発生したと決定し得る。いくつかの態様では、ＵＥ３１０がＤＲＸモードで動作しているときなど、基地局３０５は、ＵＥ３１０がＤＲＸモードのオン期間にあることになるとき、及び同様のときに基づいて、例えば、ページング機会中に、ＤＲＸモードに関連付けられたスケジュールに従ってトリガリングイベントを決定又は別様に検出し得る。
【０１７１】
[0179]３２５において、ＵＥ３１０は、ＵＥ３１０についてトリガリングイベントが発生したと決定し得る。いくつかの態様では、ＵＥ３１０は、例えば、ＵＥ３１０がトリガリングイベントを開始したことに基づいて内部で、又は基地局３０５若しくは何らかの他のエンティティから受信された信号に基づいて外部で、トリガリングイベントが発生したと決定し得る。いくつかの態様では、ＵＥ３１０がＤＲＸモードで動作しているときなど、ＵＥ３１０は、ＤＲＸモードに関連付けられたスケジュールに従ってトリガリングイベントを決定又は別様に検出し得る。
【０１７２】
[0180]いくつかの態様では、１つ又は複数のＳＳＢ送信が、トリガリングイベントより前に発生しているかもしれない。例えば、基地局３０５は、そのカバレッジエリア内で動作しているＵＥのためのブロードキャスト送信においてＳＳＢを送信し得る。ＳＳＢ送信は、トリガリングイベントに関連付けられた情報の少なくとも一部分のインジケーションを識別又は別様に提供し得、例えば、ＳＳＢは、アクティブビームにおける変更、ＢＷＰにおける変更、及び同様のものを示し得る。いくつかの態様では、ＳＳＢ信号の送信は、トリガリングイベントが発生した、又はある時点で発生することになるというインジケーションを提供し得る。このことから、基地局３０５及び／又はＵＥ３１０は、トリガリングイベントが発生したことを検出又は別様に決定するために、少なくともある程度、ＳＳＢ送信を使用し得る。
【０１７３】
[0181]３３０において、基地局３０５は、非周期的ＴＲＳを送信し得る（及びＵＥ３１０は受信し得る）。非周期的ＴＲＳは、少なくともいくつかの態様では、トリガ信号と、構成信号からの識別又は別様に示されたリソースとに基づいて送信され得る。例えば、非周期的ＴＲＳは、構成信号中で識別又は別様に示されるように、送信タイミングパラメータに従って、定義された待機期間に従って、等で送信され得る。ＵＥ３１０及び基地局３０５は、様々なトラッキング／同期／アライメント機能のために非周期的ＴＲＳを使用し得る。
【０１７４】
[0182]図４は、本開示の様々な態様による、非周期的ＴＲＳをサポートするタイミング図４００の一例を例示する。いくつかの例では、タイミング図４００は、ワイヤレス通信システム１００及び／又はプロセス２００／３００の態様をインプリメントし得る。タイミング図４００の態様は、ＵＥ及び／又は基地局によってインプリメントされ得、それらは、本明細書で説明される対応するデバイスの例であり得る。概して、タイミング図４００は、ＵＥが接続ＤＲＸモードで動作しているときの非周期的ＴＲＳ送信の一例を例示する。
【０１７５】
[0183]一般に、基地局及びＵＥは、周期的ＴＲＳ４０５のために構成され得る。周期的ＴＲＳ４０５は、常にオンであるとは限らないが、周期的ＴＲＳ送信がアクティブ化されるときに周期的スケジュールに従ってのみ送信され得る。接続ＤＲＸモードは、一般に、基地局からのページング信号について監視するためにＵＥがオン持続時間に遷移する１つ又は複数のオン持続時間時間期間４１０を含み得る。例えば、ＵＥは、オン持続時間時間期間４１０−ａ中にオン持続時間に遷移し、基地局からのページング信号について監視し得る。ページング信号が受信されていないとＵＥが決定すると、ＵＥは、非アクティブ又はオフ（例えば、アイドル）状態に再び遷移し得る。一般に、ＵＥが非アクティブ又はオフ状態にある間、周期的ＴＲＳ４０５は、送信されないことがあり、例えば、周期的ＴＲＳは、非アクティブである。このことから、例えば、周期的ＴＲＳ４０５−ａ、４０５−ｂ、４０５−ｃ、及び４０５−ｄは、送信されないことがある。
【０１７６】
[0184]基地局は、ＵＥに関してトリガリングイベントが発生したと決定し得、例えば、基地局は、ＵＥに通信するためのデータを有し得る。いくつかの態様では、基地局は、図３に関して説明されたように、ＵＥに構成信号を送信することなどによって、非周期的ＴＲＳ送信のために使用されるべきリソースのうちのいくつか又は全てでＵＥを事前構成し得る。それ故に、トリガリングイベントが発生したことに基づいて、及び構成情報に従って、基地局は、オン持続時間時間期間４１０−ｂより前に非周期的ＴＲＳ４１５を送信し得る。いくつかの態様では、ＵＥは、基地局からシグナリングされた構成情報に基づいて、非周期的ＴＲＳがオン持続時間時間期間４１０−ｂの直前に（図示されるように）及び／又はその間に（図示されない）送信されることになることを知り得る。
【０１７７】
[0185]それ故に、ＵＥは、早期に（例えば、オン持続時間時間期間４１０−ｂの前に）ウェイクアップし、非周期的ＴＲＳ４１５を検出し得る。非周期的ＴＲＳ４１５を検出することに基づいて、ＵＥは、トリガリングイベントが発生したことを決定又は別様に検出し得る（例えば、非周期的ＴＲＳ４１５の存在は、トリガリングイベントが発生したというインジケーションを提供する）。それ故に、ＵＥは、オン持続時間時間期間４１０−ｂに遷移し、基地局からページング信号を受信し得る。ページング信号に基づいて、ＵＥは、接続ＤＲＸモードのアクティブ状態に遷移し、時間期間４２０中にデータ送信を受信し得る。いくつかの態様では、周期的ＴＲＳ４０５送信は、ＵＥのために発生するトリガリングイベントに基づいてアクティブ化され得る。このことから、周期的ＴＲＳ４０５−ｅ、４０５−ｆ、及び４０５−ｇが送信され得る。いくつかの態様では、非周期的ＴＲＳ４１５は、第１のレベルの同期／トラッキングを提供し得、周期的ＴＲＳ４０５−ｅ、４０５−ｆ、及び４０５−ｇは、追加の同期及びトラッキングを提供し得る。
【０１７８】
[0186]図５は、本開示の態様による、非周期的ＴＲＳをサポートするワイヤレスデバイス５０５のブロック図５００を示す。ワイヤレスデバイス５０５は、本明細書で説明された基地局１０５の態様の一例であり得る。ワイヤレスデバイス５０５は、受信機５１０、基地局通信マネージャ５１５、及び送信機５２０を含み得る。ワイヤレスデバイス５０５はまた、プロセッサを含み得る。これらのコンポーネントの各々は、（例えば、１つ又は複数のバスを介して）互いと通信状態にあり得る。
【０１７９】
[0187]受信機５１０は、様々な情報チャネル（例えば、非周期的ＴＲＳに関連する情報、データチャネル、及び制御チャネル、等）に関連付けられた制御情報、ユーザデータ、又はパケットなどの情報を受信し得る。情報は、デバイスの他のコンポーネントに渡され得る。受信機５１０は、図８を参照して説明されるトランシーバ８３５の態様の一例であり得る。受信機５１０は、単一のアンテナ又はアンテナのセットを利用し得る。
【０１８０】
[0188]基地局通信マネージャ５１５は、図８を参照して説明される基地局通信マネージャ８１５の態様の一例であり得る。
【０１８１】
[0189]基地局通信マネージャ５１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、基地局通信マネージャ５１５及び／又はその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。基地局通信マネージャ５１５及び／又はその様々なサブコンポーネントのうちの少なくともいくつかは、機能の一部分が１つ又は複数の物理デバイスによって異なる物理ロケーションにおいてインプリメントされるように分散されることを含め、様々な位置に物理的にロケートされ得る。いくつかの例では、基地局通信マネージャ５１５及び／又はその様々なサブコンポーネントのうちの少なくともいくつかは、本開示の様々な態様による、別個の及び異なるコンポーネントであり得る。他の例では、基地局通信マネージャ５１５及び／又はその様々なサブコンポーネントのうちの少なくともいくつかは、本開示の様々な態様による、Ｉ／Ｏコンポーネント、トランシーバ、ネットワークサーバ、別のコンピューティングデバイス、本開示で説明される１つ又は複数の他のコンポーネント、又はそれらの組み合わせを含むがそれらに限定されない、１つ又は複数の他のハードウェアコンポーネントと組み合わされ得る。
【０１８２】
[0190]基地局通信マネージャ５１５は、ＵＥに関連付けられたトリガリングイベントが発生したと決定し、決定することに基づいて、非周期的ＴＲＳの送信のために使用されるべきリソースを識別するトリガ信号を送信し、トリガ信号及び識別されたリソースに基づいて非周期的ＴＲＳを送信し得る。基地局通信マネージャ５１５はまた、ＵＥに構成信号を送信することと、構成信号は、非周期的ＴＲＳの送信のための送信タイミングパラメータを識別する、  ＵＥに関連付けられたトリガリングイベントが発生したと決定することと、  決定することに基づいて、及び送信タイミングパラメータに従って、ＵＥに非周期的ＴＲＳを送信することとを行い得る。
【０１８３】
[0191]送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図８を参照して説明されるトランシーバ８３５の態様の一例であり得る。送信機５２０は、単一のアンテナ又はアンテナのセットを利用し得る。
【０１８４】
[0192]図６は、本開示の態様による、非周期的ＴＲＳをサポートするワイヤレスデバイス６０５のブロック図６００を示す。ワイヤレスデバイス６０５は、図５を参照して説明されたワイヤレスデバイス５０５又は基地局１０５の態様の一例であり得る。ワイヤレスデバイス６０５は、受信機６１０、基地局通信マネージャ６１５、及び送信機６２０を含み得る。ワイヤレスデバイス６０５はまた、プロセッサを含み得る。これらのコンポーネントの各々は、（例えば、１つ又は複数のバスを介して）互いと通信状態にあり得る。
【０１８５】
[0193]受信機６１０は、様々な情報チャネル（例えば、非周期的ＴＲＳに関連する情報、データチャネル、及び制御チャネル、等）に関連付けられた制御情報、ユーザデータ、又はパケットなどの情報を受信し得る。情報は、デバイスの他のコンポーネントに渡され得る。受信機６１０は、図８を参照して説明されるトランシーバ８３５の態様の一例であり得る。受信機６１０は、単一のアンテナ又はアンテナのセットを利用し得る。
【０１８６】
[0194]基地局通信マネージャ６１５は、図８を参照して説明される基地局通信マネージャ８１５の態様の一例であり得る。
【０１８７】
[0195]基地局通信マネージャ６１５はまた、トリガリングイベントマネージャ６２５と、トリガ信号マネージャ６３０と、非周期的ＴＲＳマネージャ６３５とを含み得る。
【０１８８】
[0196]トリガリングイベントマネージャ６２５は、ＵＥに関連付けられたトリガリングイベントが発生したと決定し、ＵＥに関連付けられたトリガリングイベントが発生したと決定し得る。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０１８９】
[0197]トリガ信号マネージャ６３０は、決定することに基づいて、非周期的ＴＲＳの送信のために使用されるべきリソースを識別するトリガ信号を送信し、ＵＥに構成信号を送信し得、構成信号は、非周期的ＴＲＳの送信のための送信タイミングパラメータを識別する。いくつかのケースでは、送信タイミングパラメータは、トリガリングイベントの発生後の非周期的ＴＲＳの送信のための相対タイミングパラメータを含む。
【０１９０】
[0198]非周期的ＴＲＳマネージャ６３５は、トリガ信号及び識別されたリソースに基づいて非周期的ＴＲＳを送信し、決定することに基づいて、及び送信タイミングパラメータに従って、ＵＥに非周期的ＴＲＳを送信し得る。いくつかのケースでは、非周期的ＴＲＳは、トラッキングのためのチャネル状態情報基準信号（ＣＳＩ−ＲＳ）を含む。
【０１９１】
[0199]送信機６２０は、デバイスの他のコンポーネントによって生成される信号を送信し得る。いくつかの例では、送信機６２０は、トランシーバモジュール中で受信機６１０とコロケートされ得る。例えば、送信機６２０は、図８を参照して説明されるトランシーバ８３５の態様の一例であり得る。送信機６２０は、単一のアンテナ又はアンテナのセットを利用し得る。
【０１９２】
[0200]図７は、本開示の態様による、非周期的ＴＲＳをサポートする基地局通信マネージャ７１５のブロック図７００を示す。基地局通信マネージャ７１５は、図５、６、及び８を参照して説明される基地局通信マネージャ５１５、基地局通信マネージャ６１５、又は基地局通信マネージャ８１５の態様の一例であり得る。基地局通信マネージャ７１５は、トリガリングイベントマネージャ７２０と、トリガ信号マネージャ７２５と、非周期的ＴＲＳマネージャ７３０と、ＤＣＩトリガマネージャ７３５と、ＭＡＣ ＣＥマネージャ７４０と、Ｉ−ＤＲＸ状態マネージャ７４５と、Ｃ−ＤＲＸ状態マネージャ７５０とを含み得る。これらのモジュールの各々は、（例えば、１つ又は複数のバスを介して）互いと直接又は間接的に通信し得る。
【０１９３】
[0201]トリガリングイベントマネージャ７２０は、ＵＥに関連付けられたトリガリングイベントが発生したと決定し、ＵＥに関連付けられたトリガリングイベントが発生したと決定し得る。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０１９４】
[0202]トリガ信号マネージャ７２５は、決定することに基づいて、非周期的ＴＲＳの送信のために使用されるべきリソースを識別するトリガ信号を送信し、ＵＥに構成信号を送信し得、構成信号は、非周期的ＴＲＳの送信のための送信タイミングパラメータを識別する。いくつかのケースでは、送信タイミングパラメータは、トリガリングイベントの発生後の非周期的ＴＲＳの送信のための相対タイミングパラメータを含む。
【０１９５】
[0203]非周期的ＴＲＳマネージャ７３０は、トリガ信号及び識別されたリソースに基づいて非周期的ＴＲＳを送信し、決定することに基づいて、及び送信タイミングパラメータに従って、ＵＥに非周期的ＴＲＳを送信し得る。いくつかのケースでは、非周期的ＴＲＳは、トラッキングのためのＣＳＩ−ＲＳを含む。
【０１９６】
[0204]ＤＣＩトリガマネージャ７３５は、トリガリングイベントが発生するより前にＳＳＢ送信を実行することと、ＳＳＢ送信は、トリガリングイベントに関連付けられた情報の少なくとも一部分を示す、  非周期的ＴＲＳの送信のために使用されるべきリソースを識別するアップリンクＤＣＩを送信することと、  チャネル状態情報基準信号の送信のために使用されるべき追加のリソースを識別するようにアップリンクＤＣＩを構成することと、非周期的ＴＲＳの送信のために使用されるべきリソースを識別するダウンリンクＤＣＩを送信することと、  非周期的ＴＲＳがトリガされたことを示すように第２のフィールドのビットを構成することと、第２のフィールドは、ダウンリンク許可フィールドとは異なる、  非周期的ＴＲＳが送信されるのと同じスロット中でＤＣＩを送信することと、  非周期的ＴＲＳが送信されるスロットとは異なるスロット中でＤＣＩを送信することと、  ゼロ許可又は無効許可を示すようにダウンリンクＤＣＩのダウンリンク許可フィールドのビットを構成することとを行い得る。いくつかのケースでは、トリガ信号は、ＤＣＩ中で送信される。いくつかのケースでは、ＤＣＩは、非周期的ＴＲＳに関連付けられた送信タイミングパラメータのインジケーションを含む。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。いくつかのケースでは、トリガ信号は、非周期的ＴＲＳがトリガされることを示すフィールド又はトリガリングイベントを示すフィールドのうちの少なくとも１つを示し、ここで、トリガリングイベントのインジケーションは、非周期的ＴＲＳがトリガされるというインジケーションを含む。いくつかのケースでは、第２のフィールドの構成されたビットは、トリガリングイベントが発生したことを示し、トリガリングイベントのインジケーションは、非周期的ＴＲＳがトリガされることを更に示す。いくつかのケースでは、ＤＣＩは、フォールバックＤＣＩフォーマット又は非フォールバックＤＣＩフォーマットのうちの少なくとも１つを含む。
【０１９７】
[0205]ＭＡＣ ＣＥマネージャ７４０は、ＳＣｅｌｌがアクティブ化されたことを示すようにＭＡＣ ＣＥを構成し、ビーム変更イベントが発生したことを示すようにＭＡＣ ＣＥを構成し得る。いくつかのケースでは、トリガ信号は、ＭＡＣ ＣＥ中で送信される。いくつかのケースでは、非周期的ＴＲＳは、ＭＡＣ ＣＥの定義された待機期間後に送信される。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０１９８】
[0206]Ｉ−ＤＲＸ状態マネージャ７４５は、ＵＥがアイドルモード間欠受信状態で動作している間にＵＥのためのページング機会を識別し得、ここで、ページング機会は、トリガリングイベントを含む。
【０１９９】
[0207]Ｃ−ＤＲＸ状態マネージャ７５０は、ＵＥが接続モード間欠受信状態で動作している間にデータがＵＥに通信されるべきであると決定し、ＵＥが間欠受信状態からウェイクするオン期間を識別し、送信タイミングパラメータに従ってオン期間より前に又はその間に非周期的ＴＲＳを送信し得る。
【０２００】
[0208]図８は、本開示の態様による、非周期的ＴＲＳをサポートするデバイス８０５を含むシステム８００の図を示す。デバイス８０５は、例えば、図５及び図６を参照して上述されたワイヤレスデバイス５０５、ワイヤレスデバイス６０５、又は基地局１０５のコンポーネントの一例であり得るか、又はそれらを含み得る。デバイス８０５は、基地局通信マネージャ８１５、プロセッサ８２０、メモリ８２５、ソフトウェア８３０、トランシーバ８３５、アンテナ８４０、ネットワーク通信マネージャ８４５、及び局間通信マネージャ８５０を含む、通信を送信及び受信するためのコンポーネントを含む双方向音声及びデータ通信のためのコンポーネントを含み得る。これらのコンポーネントは、１つ又は複数のバス（例えば、バス８１０）を介して電子通信状態にあり得る。デバイス８０５は、１つ又は複数のＵＥ１１５とワイヤレスに通信し得る。
【０２０１】
[0209]プロセッサ８２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲート又はトランジスタロジックコンポーネント、ディスクリートハードウェアコンポーネント、又はそれらの任意の組み合わせ）を含み得る。いくつかのケースでは、プロセッサ８２０は、メモリコントローラを使用してメモリアレイを動作させるように構成され得る。他のケースでは、メモリコントローラは、プロセッサ８２０に統合され得る。プロセッサ８２０は、様々な機能（例えば、非周期的ＴＲＳをサポートする機能又はタスク）を実行するために、メモリ中に記憶されたコンピュータ可読命令を実行するように構成され得る。
【０２０２】
[0210]メモリ８２５は、ランダムアクセスメモリ（ＲＡＭ）及び読取専用メモリ（ＲＯＭ）を含み得る。メモリ８２５は、実行されると、プロセッサに、本明細書で説明された様々な機能を実行させる命令を含むコンピュータ可読、コンピュータ実行可能ソフトウェア８３０を記憶し得る。いくつかのケースでは、メモリ８２５は、中でもとりわけ、周辺コンポーネント又はデバイスとの対話などの基本ハードウェア又はソフトウェア動作を制御し得る基本入力／出力システム（ＢＩＯＳ：basic input/output system）を包含し得る。
【０２０３】
[0211]ソフトウェア８３０は、非周期的ＴＲＳをサポートするためのコードを含む、本開示の態様をインプリメントするためのコードを含み得る。ソフトウェア８３０は、システムメモリ又は他のメモリなどの非一時的コンピュータ可読媒体中に記憶され得る。いくつかのケースでは、ソフトウェア８３０は、プロセッサによって直接実行可能でないことがあるが、（例えば、コンパイル及び実行されると）コンピュータに、本明細書で説明された機能を実行させ得る。
【０２０４】
[0212]トランシーバ８３５は、上述されたように、１つ又は複数のアンテナ、ワイヤード又はワイヤレスリンクを介して双方向に通信し得る。例えば、トランシーバ８３５は、ワイヤレストランシーバを表し得、別のワイヤレストランシーバと双方向に通信し得る。トランシーバ８３５はまた、パケットを変調し、送信のためにアンテナに変調されたパケットを提供し、アンテナから受信されたパケットを復調するためのモデムを含み得る。
【０２０５】
[0213]いくつかのケースでは、ワイヤレスデバイスは、単一のアンテナ８４０を含み得る。しかしながら、いくつかのケースでは、デバイスは、１つより多くのアンテナ８４０を有し得、それらは、複数のワイヤレス送信を同時に送信又は受信することが可能であり得る。
【０２０６】
[0214]ネットワーク通信マネージャ８４５は、（例えば、１つ又は複数のワイヤードバックホールリンクを介して）コアネットワークとの通信を管理し得る。例えば、ネットワーク通信マネージャ８４５は、１つ又は複数のＵＥ１１５などのクライアントデバイスのためのデータ通信の転送を管理し得る。
【０２０７】
[0215]局間通信マネージャ８５０は、他の基地局１０５との通信を管理し得、他の基地局１０５と連携してＵＥ１１５との通信を制御するためのコントローラ又はスケジューラを含み得る。例えば、局間通信マネージャ８５０は、ビームフォーミング又はジョイント送信などの様々な干渉緩和技法のために、ＵＥ１１５への送信のためのスケジューリングを調整し得る。いくつかの例では、局間通信マネージャ８５０は、基地局１０５間での通信を提供するために、ＬＴＥ／ＬＴＥ−Ａワイヤレス通信ネットワーク技術内のＸ２インターフェースを提供し得る。
【０２０８】
[0216]図９は、本開示の態様による、非周期的ＴＲＳをサポートするワイヤレスデバイス９０５のブロック図９００を示す。ワイヤレスデバイス９０５は、本明細書で説明されたＵＥ１１５の態様の一例であり得る。ワイヤレスデバイス９０５は、受信機９１０、ＵＥ通信マネージャ９１５、及び送信機９２０を含み得る。ワイヤレスデバイス９０５はまた、プロセッサを含み得る。これらのコンポーネントの各々は、（例えば、１つ又は複数のバスを介して）互いと通信状態にあり得る。
【０２０９】
[0217]受信機９１０は、様々な情報チャネル（例えば、非周期的ＴＲＳに関連する情報、データチャネル、及び制御チャネル、等）に関連付けられた制御情報、ユーザデータ、又はパケットなどの情報を受信し得る。情報は、デバイスの他のコンポーネントに渡され得る。受信機９１０は、図１２を参照して説明されるトランシーバ１２３５の態様の一例であり得る。受信機９１０は、単一のアンテナ又はアンテナのセットを利用し得る。
【０２１０】
[0218]ＵＥ通信マネージャ９１５は、図１２を参照して説明されるＵＥ通信マネージャ１２１５の態様の一例であり得る。
【０２１１】
[0219]ＵＥ通信マネージャ９１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、ＵＥ通信マネージャ９１５及び／又はその様々なサブコンポーネントのうちの少なくともいくつかの機能は、汎用プロセッサ、ＤＳＰ、ＡＳＩＣ、ＦＰＧＡ若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。ＵＥ通信マネージャ９１５及び／又はその様々なサブコンポーネントのうちの少なくともいくつかは、機能の一部分が１つ又は複数の物理デバイスによって異なる物理ロケーションにおいてインプリメントされるように分散されることを含め、様々な位置に物理的にロケートされ得る。いくつかの例では、ＵＥ通信マネージャ９１５及び／又はその様々なサブコンポーネントのうちの少なくともいくつかは、本開示の様々な態様による、別個の及び異なるコンポーネントであり得る。他の例では、ＵＥ通信マネージャ９１５及び／又はその様々なサブコンポーネントのうちの少なくともいくつかは、本開示の様々な態様による、Ｉ／Ｏコンポーネント、トランシーバ、ネットワークサーバ、別のコンピューティングデバイス、本開示で説明される１つ又は複数の他のコンポーネント、又はそれらの組み合わせを含むがそれらに限定されない、１つ又は複数の他のハードウェアコンポーネントと組み合わされ得る。
【０２１２】
[0220]ＵＥ通信マネージャ９１５は、ＵＥに関連付けられたトリガリングイベントが発生したと決定し、決定することに基づいて、非周期的ＴＲＳの送信のために使用されるべきリソースを識別するトリガ信号を受信し、トリガ信号及び識別されたリソースに基づいて非周期的ＴＲＳを受信し得る。ＵＥ通信マネージャ９１５はまた、非周期的ＴＲＳの送信のための送信タイミングパラメータを識別する構成信号を受信し、ＵＥに関連付けられたトリガリングイベントが発生したと決定し、決定することに基づいて、及び送信タイミングパラメータに従って、非周期的ＴＲＳを受信し得る。
【０２１３】
[0221]ＵＥ通信マネージャ９１５は、ＵＥに関連付けられたトリガリングイベントの発生に少なくとも部分的に基づいて、非周期的ＴＲＳの送信のために使用されるべきリソースを識別するトリガ信号を受信し得る。ＵＥ通信マネージャ９１５はまた、トリガ信号及び識別されたリソースに少なくとも部分的に基づいて非周期的ＴＲＳを受信し得る。ＵＥ通信マネージャ９１５はまた、トリガリングイベントの発生に応答して、及び非周期的ＴＲＳに少なくとも部分的に基づいて、トラッキング機能、又は同期機能、又はアラインメント機能、又はそれらの組み合わせうちの少なくとも１つを実行し得る。
【０２１４】
[0222]ＵＥ通信マネージャ９１５は、非周期的ＴＲＳの送信のための１つ又は複数のリソースを識別する構成信号を受信し得る。ＵＥ通信マネージャ９１５はまた、ＵＥに関連付けられたトリガリングイベントが発生したと決定し得る。ＵＥ通信マネージャ９１５はまた、決定することに少なくとも部分的に基づいて、及び１つ又は複数のリソースに従って、非周期的ＴＲＳを受信し得る。
【０２１５】
[0223]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の一例であり得る。送信機９２０は、単一のアンテナ又はアンテナのセットを利用し得る。
【０２１６】
[0224]図１０は、本開示の態様による、非周期的ＴＲＳをサポートするワイヤレスデバイス１００５のブロック図１０００を示す。ワイヤレスデバイス１００５は、図９を参照して説明されたワイヤレスデバイス９０５又はＵＥ１１５の態様の一例であり得る。ワイヤレスデバイス１００５は、受信機１０１０、ＵＥ通信マネージャ１０１５、及び送信機１０２０を含み得る。ワイヤレスデバイス１００５はまた、プロセッサを含み得る。これらのコンポーネントの各々は、（例えば、１つ又は複数のバスを介して）互いと通信状態にあり得る。
【０２１７】
[0225]受信機１０１０は、様々な情報チャネル（例えば、非周期的ＴＲＳに関連する情報、データチャネル、及び制御チャネル、等）に関連付けられた制御情報、ユーザデータ、又はパケットなどの情報を受信し得る。情報は、デバイスの他のコンポーネントに渡され得る。受信機１０１０は、図１２を参照して説明されるトランシーバ１２３５の態様の一例であり得る。受信機１０１０は、単一のアンテナ又はアンテナのセットを利用し得る。
【０２１８】
[0226]ＵＥ通信マネージャ１０１５は、図１２を参照して説明されるＵＥ通信マネージャ１２１５の態様の一例であり得る。
【０２１９】
[0227]ＵＥ通信マネージャ１０１５はまた、トリガリングイベントマネージャ１０２５と、トリガ信号マネージャ１０３０と、非周期的ＴＲＳマネージャ１０３５とを含み得る。
【０２２０】
[0228]トリガリングイベントマネージャ１０２５は、ＵＥに関連付けられたトリガリングイベントが発生したと決定し得る。トリガリングイベントマネージャ１０２５は、ＵＥに関連付けられたトリガリングイベントの発生に少なくとも部分的に基づいて、非周期的ＴＲＳの送信のために使用されるべきリソースを識別するトリガ信号を受信し得る。
【０２２１】
[0229]いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０２２２】
[0230]トリガ信号マネージャ１０３０は、決定することに基づいて、非周期的ＴＲＳの送信のために使用されるべきリソースを識別するトリガ信号を受信し、非周期的ＴＲＳの送信のための送信タイミングパラメータを識別する構成信号を受信し得る。トリガ信号マネージャ１０３０は、トリガ信号及び識別されたリソースに少なくとも部分的に基づいて非周期的ＴＲＳを受信し得る。いくつかのケースでは、送信タイミングパラメータは、トリガリングイベントの発生後の非周期的ＴＲＳの送信のための相対タイミングパラメータを含む。
【０２２３】
[0231]非周期的ＴＲＳマネージャ１０３５は、トリガ信号及び識別されたリソースに基づいて非周期的ＴＲＳを受信し、決定することに基づいて、及び送信タイミングパラメータに従って、非周期的ＴＲＳを受信し得る。非周期的ＴＲＳマネージャ１０３５は、トリガリングイベントの発生に応答して、及び非周期的ＴＲＳに少なくとも部分的に基づいて、トラッキング機能、又は同期機能、又はアラインメント機能、又はそれらの組み合わせのうちの少なくとも１つを実行し得る。いくつかのケースでは、非周期的ＴＲＳは、非周期的ＣＳＩ−ＲＳとは異なる、又はそうでない場合は別個の、トラッキングのためのＣＳＩ−ＲＳを含む。
【０２２４】
[0232]送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の一例であり得る。送信機１０２０は、単一のアンテナ又はアンテナのセットを利用し得る。
【０２２５】
[0233]図１１は、本開示の態様による、非周期的ＴＲＳをサポートするＵＥ通信マネージャ１１１５のブロック図１１００を示す。ＵＥ通信マネージャ１１１５は、図９、１０、及び１２を参照して説明されるＵＥ通信マネージャ１２１５の態様の一例であり得る。ＵＥ通信マネージャ１１１５は、トリガリングイベントマネージャ１１２０と、トリガ信号マネージャ１１２５と、非周期的ＴＲＳマネージャ１１３０と、ＤＣＩトリガマネージャ１１３５と、ＭＡＣ ＣＥマネージャ１１４０と、Ｉ−ＤＲＸ状態マネージャ１１４５と、Ｃ−ＤＲＸ状態マネージャ１１５０とを含み得る。これらのモジュールの各々は、（例えば、１つ又は複数のバスを介して）互いと直接又は間接的に通信し得る。
【０２２６】
[0234]トリガリングイベントマネージャ１１２０は、ＵＥに関連付けられたトリガリングイベントが発生したと決定し得る。トリガリングイベントマネージャ１１２０は、ＵＥに関連付けられたトリガリングイベントの発生に少なくとも部分的に基づいて、非周期的ＴＲＳの送信のために使用されるべきリソースを識別するトリガ信号を受信し得る。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０２２７】
[0235]トリガ信号マネージャ１１２５は、決定することに基づいて、非周期的ＴＲＳの送信のために使用されるべきリソースを識別するトリガ信号を受信し、非周期的ＴＲＳの送信のための送信タイミングパラメータを識別する構成信号を受信し得る。トリガ信号マネージャ１１２５は、トリガ信号及び識別されたリソースに少なくとも部分的に基づいて非周期的ＴＲＳを受信し得る。いくつかのケースでは、送信タイミングパラメータは、トリガリングイベントの発生後の非周期的ＴＲＳの送信のための相対タイミングパラメータを含む。
【０２２８】
[0236]非周期的ＴＲＳマネージャ１１３０は、トリガ信号及び識別されたリソースに基づいて非周期的ＴＲＳを受信し、決定することに基づいて、及び送信タイミングパラメータに従って、非周期的ＴＲＳを受信し得る。非周期的ＴＲＳマネージャ１１３０は、トリガリングイベントの発生に応答して、及び非周期的ＴＲＳに少なくとも部分的に基づいて、トラッキング機能、又は同期機能、又はアラインメント機能、又はそれらの組み合わせのうちの少なくとも１つを実行し得る。いくつかのケースでは、非周期的ＴＲＳは、従来の非周期的ＴＲＳとは異なる、又はそうでない場合は別個の、トラッキングのためのＣＳＩ−ＲＳを含む。
【０２２９】
[0237]ＤＣＩトリガマネージャ１１３５は、トリガリングイベントが発生するより前にＳＳＢ送信を受信することと、ＳＳＢ送信は、トリガリングイベントに関連付けられた情報の少なくとも一部分を示す、  非周期的ＴＲＳの送信のために使用されるべきリソースを識別するアップリンクＤＣＩを受信することと、  チャネル状態情報基準信号の送信のために使用されるべき追加のリソースを識別するために、アップリンクＤＣＩを復号することと、  非周期的ＴＲＳの送信のために使用されるべきリソースを識別するダウンリンクＤＣＩを受信することと、  非周期的ＴＲＳがトリガされたというインジケーションを識別するために、第２のフィールドのビットを復号することと、第２のフィールドは、ダウンリンク許可フィールドとは異なる、  非周期的ＴＲＳが受信されるのと同じスロット中でＤＣＩを受信することと、  非周期的ＴＲＳが受信されるスロットとは異なるスロット中でＤＣＩを受信することと、  ゼロ許可又は無効許可を識別するために、ダウンリンクＤＣＩのダウンリンク許可フィールドのビットを復号することとを行い得る。いくつかのケースでは、トリガ信号は、ＤＣＩ中で受信される。いくつかのケースでは、ＤＣＩは、非周期的ＴＲＳに関連付けられた送信タイミングパラメータのインジケーションを含む。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。いくつかのケースでは、トリガ信号は、非周期的ＴＲＳがトリガされることを示すフィールド又はトリガリングイベントを示すフィールドのうちの少なくとも１つを示し、ここで、トリガリングイベントのインジケーションは、非周期的ＴＲＳがトリガされるというインジケーションを含む。いくつかのケースでは、第２のフィールドの構成されたビットは、トリガリングイベントが発生したことを示し、トリガリングイベントのインジケーションは、非周期的ＴＲＳがトリガされることを更に示す。いくつかのケースでは、ＤＣＩは、フォールバックＤＣＩフォーマット又は非フォールバックＤＣＩフォーマットのうちの少なくとも１つを含む。
【０２３０】
[0238]ＭＡＣ ＣＥマネージャ１１４０は、ＭＡＣ ＣＥに基づいてＳＣｅｌｌがアクティブ化されたと決定し、ＭＡＣ ＣＥに基づいてビーム変更イベントが発生したと決定し得る。いくつかのケースでは、トリガ信号は、ＭＡＣ ＣＥ中で受信される。いくつかのケースでは、非周期的ＴＲＳは、ＭＡＣ ＣＥの定義された待機期間後に受信される。いくつかのケースでは、トリガリングイベントは、ＳＣｅｌｌアクティブ化イベント、又はＢＷＰ切り替えイベント、又はビーム変更イベント、又は接続モード間欠受信イベント、又はアイドルモード間欠受信イベント、又はそれらの組み合わせのうちの少なくとも１つを含む。
【０２３１】
[0239]Ｉ−ＤＲＸ状態マネージャ１１４５は、ＵＥがアイドルモード間欠受信状態で動作している間、ＵＥのためのページング機会中に非周期的ＴＲＳを受信し得、ここで、ページング機会の発生は、トリガリングイベントを含む。
【０２３２】
[0240]Ｃ−ＤＲＸ状態マネージャ１１５０は、接続モード間欠受信状態のオン持続時間の前に非周期的ＴＲＳを受信し、非周期的ＴＲＳを受信することに基づいて、データがＵＥに通信されるべきであると決定し、データ通信のために間欠受信状態からアクティブ状態に遷移し得る。
【０２３３】
[0241]トリガリングイベントがＳＣｅｌｌアクティブ化を備える事例では、上述されたモジュール又は機能のうちの１つ又は複数は、ＵＥのアクティブセルからトリガ信号を受信し、セカンダリセルアクティブ化においてアクティブ化されているセカンダリセルから非周期的ＴＲＳを受信し得、ここにおいて、トリガ信号中で識別されたリソースは、非周期的ＴＲＳの送信のために使用されるセカンダリセルリソースを備える。
【０２３４】
[0242]トリガリングイベントがＢＷＰ切り替えイベントを備える事例では、上述されたモジュール又は機能のうちの１つ又は複数は、ＵＥのアクティブ帯域幅部分を通してトリガ信号を受信し、帯域幅部分切り替えイベントにおいてアクティブ化されている帯域幅部分を通して非周期的ＴＲＳを受信し得、ここにおいて、アクティブ化された帯域幅部分は、アクティブ帯域幅部分とは異なり、トリガ信号中で識別されたリソースは、アクティブ化された帯域幅部分を通しての非周期的ＴＲＳの送信のために使用されるアクティブ化された帯域幅部分リソースを備える。
【０２３５】
[0243]トリガリングイベントがビーム変更イベントを備える事例では、上述されたモジュール又は機能のうちの１つ又は複数は、ＵＥのアクティブビームを通してトリガ信号を受信し、ビーム変更イベントにおいてアクティブ化されているビームを通して非周期的ＴＲＳを受信し得、ここにおいて、アクティブ化されたビームは、アクティブビームとは異なり、トリガ信号中で識別されたリソースは、アクティブ化されたビームを通しての非周期的ＴＲＳの送信のために使用されるアクティブ化されたビームリソースを備える。
【０２３６】
[0244]図１２は、本開示の態様による、非周期的ＴＲＳをサポートするデバイス１２０５を含むシステム１２００の図を示す。デバイス１２０５は、例えば、図１を参照して上述されたＵＥ１１５のコンポーネントの一例であり得るか、又はそれらを含み得る。デバイス１２０５は、ＵＥ通信マネージャ１２１５、プロセッサ１２２０、メモリ１２２５、ソフトウェア１２３０、トランシーバ１２３５、アンテナ１２４０、及びＩ／Ｏコントローラ１２４５を含む、通信を送信及び受信するためのコンポーネントを含む双方向音声及びデータ通信のためのコンポーネントを含み得る。これらのコンポーネントは、１つ又は複数のバス（例えば、バス１２１０）を介して電子通信状態にあり得る。デバイス１２０５は、１つ又は複数の基地局１０５とワイヤレスに通信し得る。
【０２３７】
[0245]プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲート又はトランジスタロジックコンポーネント、ディスクリートハードウェアコンポーネント、又はそれらの任意の組み合わせ）を含み得る。いくつかのケースでは、プロセッサ１２２０は、メモリコントローラを使用してメモリアレイを動作させるように構成され得る。他のケースでは、メモリコントローラは、プロセッサ１２２０に統合され得る。プロセッサ１２２０は、様々な機能（例えば、非周期的ＴＲＳをサポートする機能又はタスク）を実行するために、メモリ中に記憶されたコンピュータ可読命令を実行するように構成され得る。
【０２３８】
[0246]メモリ１２２５は、ＲＡＭ及びＲＯＭを含み得る。メモリ１２２５は、実行されると、プロセッサに、本明細書で説明された様々な機能を実行させる命令を含むコンピュータ可読、コンピュータ実行可能ソフトウェア１２３０を記憶し得る。いくつかのケースでは、メモリ１２２５は、中でもとりわけ、周辺コンポーネント又はデバイスとの対話などの基本ハードウェア又はソフトウェア動作を制御し得るＢＩＯＳを包含し得る。
【０２３９】
[0247]ソフトウェア１２３０は、非周期的ＴＲＳをサポートするためのコードを含む、本開示の態様をインプリメントするためのコードを含み得る。ソフトウェア１２３０は、システムメモリ又は他のメモリなどの非一時的コンピュータ可読媒体中に記憶され得る。いくつかのケースでは、ソフトウェア１２３０は、プロセッサによって直接実行可能でないことがあるが、（例えば、コンパイル及び実行されると）コンピュータに、本明細書で説明された機能を実行させ得る。
【０２４０】
[0248]トランシーバ１２３５は、上述されたように、１つ又は複数のアンテナ、ワイヤード又はワイヤレスリンクを介して双方向に通信し得る。例えば、トランシーバ１２３５は、ワイヤレストランシーバを表し得、別のワイヤレストランシーバと双方向に通信し得る。トランシーバ１２３５はまた、パケットを変調し、送信のためにアンテナに変調されたパケットを提供し、アンテナから受信されたパケットを復調するためのモデムを含み得る。
【０２４１】
[0249]いくつかのケースでは、ワイヤレスデバイスは、単一のアンテナ１２４０を含み得る。しかしながら、いくつかのケースでは、デバイスは、１つより多くのアンテナ１２４０を有し得、それらは、複数のワイヤレス送信を同時に送信又は受信することが可能であり得る。
【０２４２】
[0250]Ｉ／Ｏコントローラ１２４５は、デバイス１２０５のための入力及び出力信号を管理し得る。Ｉ／Ｏコントローラ１２４５はまた、デバイス１２０５に統合されていない周辺機器を管理し得る。いくつかのケースでは、Ｉ／Ｏコントローラ１２４５は、外部周辺機器への物理接続又はポートを表し得る。いくつかのケースでは、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、又は別の知られているオペレーティングシステムなどのオペレーティングシステムを利用し得る。他のケースでは、Ｉ／Ｏコントローラ１２４５は、モデム、キーボード、マウス、タッチスクリーン、又は同様のデバイスを表し得るか、又はそれらと対話し得る。いくつかのケースでは、Ｉ／Ｏコントローラ１２４５は、プロセッサの一部としてインプリメントされ得る。いくつかのケースでは、ユーザは、Ｉ／Ｏコントローラ１２４５を介して、又はＩ／Ｏコントローラ１２４５によって制御されるハードウェアコンポーネントを介して、デバイス１２０５と対話し得る。
【０２４３】
[0251]図１３は、本開示の態様による、非周期的ＴＲＳのための方法１３００を例示するフローチャートを示す。方法１３００の動作は、本明細書で説明された基地局１０５又はそのコンポーネントによってインプリメントされ得る。例えば、方法１３００の動作は、図５〜８を参照して説明された基地局通信マネージャによって実行され得る。いくつかの例では、基地局１０５は、以下に説明される機能を実行するために、デバイスの機能的な要素を制御するためのコードのセットを実行し得る。加えて又は代替として、基地局１０５は、専用ハードウェアを使用して、以下に説明される機能の態様を実行し得る。
【０２４４】
[0252]１３０５において、基地局１０５は、ＵＥに関連付けられたトリガリングイベントが発生したと決定し得る。１３０５の動作は、本明細書で説明された方法に従って実行され得る。ある特定の例では、１３０５の動作の態様は、図５〜８を参照して説明されたトリガリングイベントマネージャによって実行され得る。
【０２４５】
[0253]１３１０において、基地局１０５は、決定することに少なくとも部分的に基づいて、非周期的ＴＲＳの送信のために使用されるべきリソースを識別するトリガ信号を送信し得る。１３１０の動作は、本明細書で説明された方法に従って実行され得る。ある特定の例では、１３１０の動作の態様は、図５〜８を参照して説明されたトリガ信号マネージャによって実行され得る。
【０２４６】
[0254]１３１５において、基地局１０５は、トリガ信号及び識別されたリソースに少なくとも部分的に基づいて非周期的ＴＲＳを送信し得る。１３１５の動作は、本明細書で説明された方法に従って実行され得る。ある特定の例では、１３１５の動作の態様は、図５〜８を参照して説明された非周期的ＴＲＳマネージャによって実行され得る。
【０２４７】
[0255]図１４は、本開示の態様による、非周期的ＴＲＳのための方法１４００を例示するフローチャートを示す。方法１４００の動作は、本明細書で説明されたＵＥ１１５又はそのコンポーネントによってインプリメントされ得る。例えば、方法１４００の動作は、図９〜１２を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０２４８】
[0256]１４０５において、ＵＥ１１５は、ＵＥに関連付けられたトリガリングイベントの発生に少なくとも部分的に基づいて、非周期的ＴＲＳの送信のために使用されるべきリソースを識別するトリガ信号を受信し得る。１４０５の動作は、本明細書で説明された方法に従って実行され得る。ある特定の例では、１４０５の動作の態様は、図９〜１２を参照して説明されたトリガリングイベントマネージャによって実行され得る。
【０２４９】
[0257]１４１０において、ＵＥ１１５は、トリガ信号及び識別されたリソースに少なくとも部分的に基づいて非周期的ＴＲＳを受信し得る。１４１０の動作は、本明細書で説明された方法に従って実行され得る。ある特定の例では、１４１０の動作の態様は、図９〜１２を参照して説明されたトリガ信号マネージャによって実行され得る。
【０２５０】
[0258]１４１５において、ＵＥ１１５は、トリガリングイベントの発生に応答して、及び非周期的ＴＲＳに少なくとも部分的に基づいて、トラッキング機能、又は同期機能、又はアラインメント機能、又はそれらの組み合わせのうちの少なくとも１つを実行し得る。１４１５の動作は、本明細書で説明された方法に従って実行され得る。ある特定の例では、１４１５の動作の態様は、図９〜１２を参照して説明された非周期的ＴＲＳマネージャによって実行され得る。
【０２５１】
[0259]図１５は、本開示の態様による、非周期的ＴＲＳのための方法１５００を例示するフローチャートを示す。方法１５００の動作は、本明細書で説明された基地局１０５又はそのコンポーネントによってインプリメントされ得る。例えば、方法１５００の動作は、図５〜８を参照して説明された基地局通信マネージャによって実行され得る。いくつかの例では、基地局１０５は、以下に説明される機能を実行するために、デバイスの機能的な要素を制御するためのコードのセットを実行し得る。加えて又は代替として、基地局１０５は、専用ハードウェアを使用して、以下に説明される機能の態様を実行し得る。
【０２５２】
[0260]１５０５において、基地局１０５は、ＵＥに構成信号を送信し得、構成信号は、非周期的ＴＲＳの送信のための送信タイミングパラメータを識別する。１５０５の動作は、本明細書で説明された方法に従って実行され得る。ある特定の例では、１５０５の動作の態様は、図５〜８を参照して説明されたトリガ信号マネージャによって実行され得る。
【０２５３】
[0261]１５１０において、基地局１０５は、ＵＥに関連付けられたトリガリングイベントが発生したと決定し得る。１５１０の動作は、本明細書で説明された方法に従って実行され得る。ある特定の例では、１５１０の動作の態様は、図５〜８を参照して説明されたトリガリングイベントマネージャによって実行され得る。
【０２５４】
[0262]１５１５において、基地局１０５は、決定することに少なくとも部分的に基づいて、及び送信タイミングパラメータに従って、ＵＥに非周期的ＴＲＳを送信し得る。１５１５の動作は、本明細書で説明された方法に従って実行され得る。ある特定の例では、１５１５の動作の態様は、図５〜８を参照して説明された非周期的ＴＲＳマネージャによって実行され得る。
【０２５５】
[0263]図１６は、本開示の態様による、非周期的ＴＲＳのための方法１６００を例示するフローチャートを示す。方法１６００の動作は、本明細書で説明されたＵＥ１１５又はそのコンポーネントによってインプリメントされ得る。例えば、方法１６００の動作は、図９〜１２を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０２５６】
[0264]１６０５において、ＵＥ１１５は、非周期的ＴＲＳの送信のための１つ又は複数のリソースを識別する構成信号を受信し得る。１６０５の動作は、本明細書で説明された方法に従って実行され得る。ある特定の例では、１６０５の動作の態様は、図９〜１２を参照して説明されたトリガ信号マネージャによって実行され得る。
【０２５７】
[0265]１６１０において、ＵＥ１１５は、ＵＥに関連付けられたトリガリングイベントが発生したと決定し得る。１６１０の動作は、本明細書で説明された方法に従って実行され得る。ある特定の例では、１６１０の動作の態様は、図９〜１２を参照して説明されたトリガリングイベントマネージャによって実行され得る。
【０２５８】
[0266]１６１５において、ＵＥ１１５は、決定することに少なくとも部分的に基づいて、及び１つ又は複数のリソースに従って、非周期的ＴＲＳを受信し得る。１６１５の動作は、本明細書で説明された方法に従って実行され得る。ある特定の例では、１６１５の動作の態様は、図９〜１２を参照して説明された非周期的ＴＲＳマネージャによって実行され得る。
【０２５９】
[0267]上述された方法は、可能なインプリメンテーションを説明しており、動作及びステップは、再配列又は別様に修正され得、他のインプリメンテーションが可能であることに留意されたい。更に、方法のうちの２つ以上からの態様が組み合わされ得る。
【０２６０】
[0268]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、及び他のシステムなどの、様々なワイヤレス通信システムのために使用され得る。ＣＤＭＡシステムは、ＣＤＭＡ２０００、ユニバーサル地上無線アクセス（ＵＴＲＡ）、等などの無線技術をインプリメントし得る。ＣＤＭＡ２０００は、ＩＳ−２０００、ＩＳ−９５、及びＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））及びＣＤＭＡの他の変形を含む。ＴＤＭＡシステムは、モバイル通信のためのグローバルシステム（ＧＳＭ（登録商標））などの無線技術をインプリメントし得る。
【０２６１】
[0269]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等などの無線技術をインプリメントし得る。ＵＴＲＡ及びＥ−ＵＴＲＡは、ユニバーサルモバイル電気通信システム（ＵＭＴＳ）の一部である。ＬＴＥ、ＬＴＥ−Ａ、及びＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、及びＧＳＭは、「第３世代パートナーシッププロジェクト」（３ＧＰＰ（登録商標））という名称の団体からの文書に記載されている。ＣＤＭＡ２０００及びＵＭＢは、「第３世代パートナーシッププロジェクト２」（３ＧＰＰ２）という名称の団体からの文書に記載されている。本明細書で説明された技法は、上述されたシステム及び無線技術並びに他のシステム及び無線技術のために使用され得る。ＬＴＥ、ＬＴＥ−Ａ、ＬＴＥ−Ａプロ、又はＮＲシステムの態様が、例を目的として説明され得、ＬＴＥ、ＬＴＥ−Ａ、ＬＴＥ−Ａプロ、又はＮＲ専門用語が、説明の大部分において使用され得るが、本明細書で説明された技法は、ＬＴＥ、ＬＴＥ−Ａ、ＬＴＥ−Ａプロ、又はＮＲアプリケーションを超えて適用可能である。
【０２６２】
[0270]マクロセルは一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、より低電力の基地局１０５に関連付けられ得、スモールセルは、マクロセルと同じ又は異なる（例えば、ライセンス、アンライセンス、等）周波数帯域において動作し得る。スモールセルは、様々な例に従って、ピコセル、フェムトセル、及びマイクロセルを含み得る。ピコセルは、例えば、小さい地理的エリアをカバーし得、ネットワークプロバイダのサービスに加入しているＵＥ１１５による無制限アクセスを可能にし得る。フェムトセルはまた、小さい地理的エリア（例えば、自宅）をカバーし得、フェムトセルとのアソシエーションを有するＵＥ１１５（例えば、限定加入者グループ（ＣＳＧ：closed subscriber group）中のＵＥ１１５、自宅内のユーザのためのＵＥ１１５、及び同様のもの）による制限付きアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、又はホームｅＮＢと呼ばれ得る。ｅＮＢは、１つ又は複数（例えば、２つ、３つ、４つ、及び同様の数）のセルをサポートし得、１つ又は複数のコンポーネントキャリアを使用する通信もサポートし得る。
【０２６３】
[0271]ワイヤレス通信システム１００又は本明細書で説明されたシステムは、同期動作又は非同期動作をサポートし得る。同期動作の場合、基地局１０５は、同様のフレームタイミングを有し得、異なる基地局１０５からの送信は、時間的にほぼ揃えられ得る。非同期動作の場合、基地局１０５は、異なるフレームタイミングを有し得、異なる基地局１０５からの送信は、時間的に揃えられないことがある。本明細書で説明された技法は、同期動作又は非同期動作のいずれかのために使用され得る。
【０２６４】
[0272]本明細書で説明された情報及び信号は、多様な異なる技術及び技法のうちの任意のものを使用して表わされ得る。例えば、上記の説明全体を通じて参照され得るデータ、命令、コマンド、情報、信号、ビット、シンボル、及びチップは、電圧、電流、電磁波、磁場若しくは磁性粒子、光場若しくは光粒子、又はそれらの任意の組み合わせによって表され得る。
【０２６５】
[0273]本明細書の開示に関して説明された様々な例示的なブロック及びモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス（ＰＬＤ）、ディスクリートゲート若しくはトランジスタロジック、ディスクリートハードウェアコンポーネント、又は本明細書で説明された機能を実行するように設計されたそれらの任意の組み合わせを用いてインプリメント又は実行され得る。汎用プロセッサは、マイクロプロセッサであり得るが、代替では、プロセッサは、任意の従来のプロセッサ、コントローラ、マイクロコントローラ、又はステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つ又は複数のマイクロプロセッサ、又は任意の他のそのような構成）としてインプリメントされ得る。
【０２６６】
[0274]本明細書で説明された機能は、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、それら機能は、１つ又は複数の命令又はコードとして、コンピュータ可読媒体上に記憶され得るか、又はコンピュータ可読媒体を通して送信され得る。他の例及びインプリメンテーションは、本開示及び添付された特許請求の範囲内にある。例えば、ソフトウェアの性質に起因して、上述された機能は、プロセッサによって実行されるソフトウェア、ハードウェア、ファームウェア、ハード配線、又はこれらのうちの任意のものの組み合わせを使用してインプリメントされることができる。機能をインプリメントする特徴はまた、機能の一部分が異なる物理ロケーションにおいてインプリメントされるように分散されることを含め、様々な位置において物理的にロケートされ得る。
【０２６７】
[0275]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用又は専用コンピュータによってアクセスされることができる任意の利用可能な媒体であり得る。限定ではなく例として、非一時的コンピュータ可読媒体は、ランダムアクセスメモリ（ＲＡＭ）、読取専用メモリ（ＲＯＭ）、電気的消去可能プログラマブル読取専用メモリ（ＥＥＰＲＯＭ（登録商標））、フラッシュメモリ、コンパクトディスク（ＣＤ）ＲＯＭ若しくは他の光ディスク記憶装置、磁気ディスク記憶装置若しくは他の磁気記憶デバイス、又はデータ構造若しくは命令の形態で所望されるプログラムコード手段を搬送若しくは記憶するために使用されることができ、汎用若しくは専用コンピュータ、又は汎用若しくは専用プロセッサによってアクセスされることができる任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義中に含まれる。ディスク（disk）及びディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）、及びＢｌｕ−ｒａｙ（登録商標）ディスク（disc）を含み、ここで、ディスク（disk）は通常、磁気的にデータを再生し、ディスク（disc）は、レーザーを用いて光学的にデータを再生する。上記の組み合わせもまた、コンピュータ可読媒体の範囲内に含まれる。
【０２６８】
[0276]、特許請求の範囲を含め、本明細書に使用される場合、項目のリスト（例えば、「〜のうちの少なくとも１つ（at least one of）」又は「〜のうちの１つ又は複数（one or more of）」などのフレーズで始まる項目のリスト）中で使用される「又は／或いは／若しくは（or）」は、例えば、Ａ、Ｂ、又はＣのうちの少なくとも１つのリストが、Ａ、Ｂ、Ｃ、ＡとＢ、ＡとＣ、ＢとＣ、又はＡとＢとＣ（即ち、Ａ、Ｂ、及びＣ）を意味するような、包含的なリストを示す。また、本明細書で使用される場合、「〜に基づいて（based on）」というフレーズは、条件の閉集合への参照として解釈されるべきではない。例えば、「条件Ａに基づいて」と記載された例証的なステップは、本開示の範囲から逸脱することなしに、条件Ａと条件Ｂとの両方に基づき得る。言い換えれば、本明細書で使用される場合、「〜に基づいて」というフレーズは、「〜に少なくとも部分的に基づいて（based at least in part on）」というフレーズと同じように解釈されるべきである。
【０２６９】
[0277]添付された図面では、同様のコンポーネント又は特徴は、同じ参照ラベルを有し得る。更に、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベル、又は他の後続の参照ラベルに関係なく同じ第１の参照ラベルを有する同様のコンポーネントのうちのどの１つにも適用可能である。
【０２７０】
[0278]添付された図面に関連して本明細書で記載された説明は、実例的な構成を説明しており、インプリメントされ得る又は特許請求の範囲内にある全ての例を表してはいない。本明細書で使用される「例証的（exemplary）」という用語は、「例、事例、又は例示としての役割を果たすこと」を意味し、「好ましい」又は「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造及びデバイスは、説明された例の概念を曖昧にすることを避けるために、ブロック図形式で示される。
【０２７１】
[0279]本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
【図１】
2021509794.tif 000003
【図２】
2021509794.tif 000004
【図３】
2021509794.tif 000005
【図４】
2021509794.tif 000006
【図５】
2021509794.tif 000007
【図６】
2021509794.tif 000008
【図７】
2021509794.tif 000009
【図８】
2021509794.tif 000010
【図９】
2021509794.tif 000011
【図１０】
2021509794.tif 000012
【図１１】
2021509794.tif 000013
【図１２】
2021509794.tif 000014
【図１３】
2021509794.tif 000015
【図１４】
2021509794.tif 000016
【図１５】
2021509794.tif 000017
【図１６】
2021509794.tif 000018
【国際調査報告】
2021509794.tif 000019
2021509794.tif 000020
2021509794.tif 000021